(57)【要約】【課題】プレビュー画像生成までの時間を短縮することで、利用者が現在の処理状態を迅速に認識できるようにする。【解決手段】画像処理装置の一実施形態であるデジタル複合機１は、コピーやファイリング、データ送信等の対象となる画像データを使用してプレビュー画像を生成する。そして、画像データが得られた段階でプレビュー画像の生成を開始し、その生成状態をメッセージ等により表示させる。例えば、図示する画面上の処理量表示部７１には、プレビュー画像の生成が１２枚目まで完了していることが示され、最終処理すべき画像データの総量が１２５枚であることが表示されている。つまりプレビュー画像が生成されたことを示す処理量表示部７１は、１枚の画像データのプレビュー画像が生成される毎に処理量の表示を行うことで、プレビュー画像生成までの時間が短縮され、利用者が現在の処理状態を迅速に認識できる。【選択図】図１３
2010062710.tif 000002
【特許請求の範囲】
【請求項１】
画像データを入力する入力部と、該入力部に入力した画像データを使用した所定の最終処理を実行する処理手段と、該最終処理の対象となる画像データのプレビュー画像を生成するプレビュー画像生成部と、該プレビュー画像生成部で生成されたプレビュー画像を表示する表示部とを備えた画像処理装置であって、
前記表示部は、前記プレビュー画像生成部で１枚のプレビュー画像が生成された段階で、該１枚のプレビュー画像が生成されたことを示す表示を行うことを特徴とする画像処理装置。
【請求項２】
請求項１に記載の画像処理装置において、原稿画像を読み取って画像データ出力する画像読取部を備え、該画像読取部で読み取られて出力された画像データを、前記入力部に入力した画像データとすることを特徴とする画像処理装置。
【請求項３】
請求項１または２に記載の画像処理装置において、前記最終処理の１つとして、前記出力対象となる画像データを被画像形成媒体に対して画像形成する画像形成部を備えることを特徴とする画像処理装置。
【請求項４】
請求項１〜３のいずれか１に記載の画像処理装置において、前記表示部は、複数枚の画像データがあるときに、前記プレビュー画像が生成されたことを示す表示を１枚の画像毎に実行することを特徴とする画像処理装置
【請求項５】
請求項４に記載の画像処理装置において、前記表示部は、前記プレビュー画像が生成されたことを示す表示を、１枚のプレビュー画像毎に更新して表示することを特徴とする画像処理装置。
【請求項６】
請求項１〜５のいずれか１に記載の画像処理装置において、前記プレビュー画像生成手段は、前記入力部に画像データが入力した段階で、前記プレビュー画像の生成を開始することを特徴とする画像形成装置。
【請求項７】
請求項１〜６のいずれか１に記載の画像処理装置において、前記表示部は、前記入力部に対して、プレビュー画像の生成対象となる全ての画像データが入力した後に、入力された画像データの総頁数を表示することを特徴とする画像処理装置。
【請求項８】
請求項１〜７のいずれか１に記載の画像処理装置において、前記プレビュー画像生成部は、前記表示部で前記プレビュー画像が生成されたことを示す表示が行われているときに、さらにプレビュー画像を生成すべき画像データがあるときは、前記表示部が表示中であっても、プレビュー画像の生成を続行することを特徴とする画像処理装置。
【請求項９】
請求項１〜８のいずれか１に記載の画像処理装置において、前記表示部は、前記プレビュー画像が生成されたことを示す表示を実行した後は、生成されたプレビュー画像を表示可能であることを特徴とする画像形成装置。
【請求項１０】
請求項９に記載の画像処理装置において、前記表示部が前記プレビュー画像を表示した後は、前記最終処理の実行が可能であることを特徴とする画像処理装置。
【請求項１１】
請求項１０に記載の画像処理装置において、前記最終処理は、前記画像データの送信処理、前記画像形成手段による画像形成処理、及び前記画像データの記憶処理を含むことを特徴とする画像処理装置。
【請求項１２】
画像データを入力する入力ステップと、
該入力ステップで入力した画像データを使用した所定の最終処理を実行する処理ステップと、
該最終処理を実行する前に、該最終処理の対象となる画像データのプレビュー画像を生成するプレビュー画像生成ステップと、
該プレビュー画像生成ステップで生成されたプレビュー画像を表示する表示ステップとを有する画像処理方法であって、
前記表示ステップは、前記プレビュー画像生成ステップで１枚のプレビュー画像が生成された段階で、該１枚のプレビュー画像が生成されたことを示す表示を行うことを特徴とする画像処理方法。
【発明の詳細な説明】
【技術分野】
【０００１】
本発明は、画像処理装置及び画像処理方法に関し、より詳細には、画像データを最終処理前にプレビュー表示することが可能な画像処理置及び画像処理方法に関する。
【背景技術】
【０００２】
従来から、コピー、プリンタ、スキャナ、ファクシミリ、インターネット通信などの複合的な機能を持つ複合機などの画像処理装置において、印刷や送信等の出力対象となった画像データを処理の実行前にプレビュー表示する機能が備わっているものがある。
【０００３】
例えば、特許文献１に記載された情報処理装置では、プレビュー表示後、印刷指示を実行する手間をなくすために、スプールされた中間コードから実際の出力結果を画像イメージとして表示し、出力ページのプレビュー表示終了後に印刷指示が入力されることなく、デスプール手段により、印刷データを生成して実際の印刷出力を行うようにしている。
そして、この情報処理装置は、プレビュー表示を行う際には、プレビュー表示を行うページ数の設定が可能となっている。
【特許文献１】特開２００６−１７１８６１号公報
【発明の開示】
【発明が解決しようとする課題】
【０００４】
上記特許文献１には、利用者が所望する所定のページ数に限ってプレビュー表示を行う内容が示されているが、プレビュー画像の生成状況を随時表示することで、利用者に生成状態を認識させる点については記載がなく、装置がプレビュー画像の生成中であるのかハングアップ状態であるのかをユーザが判断できず、ユーザに不安感を与える場合があった。
また、特許文献１では、所定ページ数のプレビュー画像を生成するとき、所定ページ数のプレビュー画像の生成が全て完了した段階で、プレビュー画像の表示が可能となることから、データ容量の大きい画像データ等については、プレビュー画像の表示まで時間を要し、ユーザを待たせる要因となる。
【０００５】
本発明は、上述のごとき実情に鑑みてなされたもので、印刷出力等の最終処理対象の画像データをプレビュー表示するに際し、プレビュー画像生成までの時間を短縮することで、利用者が現在の処理状態を迅速に認識できるようにした画像処理装置及び画像処理方法を提供することを目的とする。
【課題を解決するための手段】
【０００６】
上記課題を解決するために、本発明の第１の技術手段は、画像データを入力する入力部と、入力部に入力した画像データを使用した所定の最終処理を実行する処理手段と、最終処理の対象となる画像データのプレビュー画像を生成するプレビュー画像生成部と、プレビュー画像生成部で生成されたプレビュー画像を表示する表示部とを備えた画像処理装置であって、表示部は、プレビュー画像生成部で１枚のプレビュー画像が生成された段階で、１枚のプレビュー画像が生成されたことを示す表示を行うことを特徴としたものである。
【０００７】
第２の技術手段は、第１の技術手段において、原稿画像を読み取って画像データ出力する画像読取部を備え、画像読取部で読み取られて出力された画像データを、入力部に入力した画像データとすることを特徴としたものである。
【０００８】
第３の技術手段は、第１または２の技術手段において、最終処理の１つとして、出力対象となる画像データを被画像形成媒体に対して画像形成する画像形成部を備えることを特徴としたものである。
【０００９】
第４の技術手段は、第１〜３のいずれかの技術手段において、表示部は、複数枚の画像データがあるときに、プレビュー画像が生成されたことを示す表示を１枚の画像毎に実行することを特徴としたものである。
【００１０】
第５の技術手段は、第４の技術手段において、表示部は、プレビュー画像が生成されたことを示す表示を、１枚のプレビュー画像毎に更新して表示することを特徴としたものである。
【００１１】
第６の技術手段は、第１〜５のいずれかの技術手段において、プレビュー画像生成手段は、入力部に画像データが入力した段階で、プレビュー画像の生成を開始することを特徴としたものである。
【００１２】
第７の技術手段は、第１〜６のいずれかの技術手段において、表示部は、入力部に対して、プレビュー画像の生成対象となる全ての画像データが入力した後に、入力された画像データの総頁数を表示することを特徴としたものである。
【００１３】
第８の技術手段は、第１〜７のいずれかの技術手段において、プレビュー画像生成部は、表示部でプレビュー画像が生成されたことを示す表示が行われているときに、さらにプレビュー画像を生成すべき画像データがあるときは、表示部が表示中であっても、プレビュー画像の生成を続行することを特徴としたものである。
【００１４】
第９の技術手段は、第１〜８のいずれかの技術手段において、表示部は、プレビュー画像が生成されたことを示す表示を実行した後は、生成されたプレビュー画像を表示可能であることを特徴としたものである。
【００１５】
第１０の技術手段は、第９の技術手段において、表示部がプレビュー画像を表示した後は、最終処理の実行が可能であることを特徴としたものである。
【００１６】
第１１の技術手段は、第１０の技術手段において、最終処理は、画像データの送信処理、画像形成手段による画像形成処理、及び画像データの記憶処理を含むことを特徴としたものである。
【００１７】
第１２の技術手段は、画像データを入力する入力ステップと、入力ステップで入力した画像データを使用した所定の最終処理を実行する処理ステップと、最終処理を実行する前に、最終処理の対象となる画像データのプレビュー画像を生成するプレビュー画像生成ステップと、プレビュー画像生成ステップで生成されたプレビュー画像を表示する表示ステップとを有する画像処理方法であって、表示ステップは、プレビュー画像生成ステップで１枚のプレビュー画像が生成された段階で、１枚のプレビュー画像が生成されたことを示す表示を行うことを特徴としたものである。
【発明の効果】
【００１８】
本発明によれば、印刷出力等の最終処理対象の画像データをプレビュー表示するに際し、プレビュー画像生成までの時間を短縮することで、利用者が現在の処理状態を迅速に認識できるようにした画像処理装置及び画像処理方法を提供することができる。
【００１９】
さらに本発明によれば、画像データが入力されると即座にプレビュー画像の生成が開始されるので、プレビュー画像生成での時間を短縮することが可能となる。
また、画像１枚単位でプレビュー画像の生成結果が表示されるようにすることで、利用者はプレビュー画像の生成状況を把握することができる。また、全てのプレビュー画像の生成完了まで利用者を待たせることがなく、表示可能がプレビュー画像を随時把握できるようになり、ユーザは必要な画像データの確認を行って送信、印刷等の最終処理の実行が可能となる。
【発明を実施するための最良の形態】
【００２０】
＜本発明を適用可能なデジタル複合機の全体構成例の説明＞
図１は、本発明の画像処理装置を適用可能な装置の一例を示す図で、インナーフィニッシャーを有するデジタル複合機の構成を示す図である。
図１のデジタル複合機１は、後処理装置３００と、２つの給紙装置４００，５００とが付設されて構成されている。また、デジタル複合機１には、ＣＣＤ（Charge Coupled Device）を利用したスキャナで、原稿を所定の解像度のＲＧＢ（Ｒ：赤、Ｇ：緑、Ｂ：青）のビットマップ画像として読み取るための読み取り部を備えた原稿搬送読取り部２００が付設されている。
【００２１】
デジタル複合機１は、ネットワーク等を介して入力された画像情報に基づいて電子写真方式による多色及び単色の画像形成を選択的に行い、形成した画像を用紙に記録するものである。デジタル複合機１は、画像形成部１０６、用紙収容部１０７及び用紙搬送部１０８を備えている。
画像形成部１０６は、露光ユニット１１０、中間転写ベルト１１１、二次転写ローラ１１４を備え、中間転写ベルト１１１と露光ユニット１１０との間に、画像形成ステーション１１２Ａ〜１１２Ｄを一列に配置して構成されている。
【００２２】
画像形成ステーション１１２Ａ〜１１２Ｄのそれぞれは、カラー画像を色分解して得られる減法混色の３原色であるシアン、マゼンタ、イエローにブラックを加えた計４色の各色相の画像情報に基づいて画像形成を行う。
ブラックの画像形成ステーション１１２Ａは、感光体ドラム１０１Ａ、現像ユニット１０２Ａ、帯電ローラ１０３、一次転写ローラ１０４及びクリーニングユニット１０５等を備えている。
【００２３】
帯電ローラ１０３は、感光体ドラム１０１Ａの表面を所定の電位に均一に帯電させる接触方式の帯電器である。帯電ローラ１０３に代えて、帯電ブラシを用いた接触方式の帯電器、または帯電チャージャを用いた被接触方式の帯電器を用いることもできる。露光ユニット１１０は、半導体レーザ等の光源、ポリゴンミラー及び反射ミラー等を備えている。感光体ドラム１０１Ａには、露光ユニット１１０からブラックの画像情報に基づく画像光が照射され、ブラックの色相の画像情報に応じた静電潜像が形成される。
【００２４】
現像ユニット１０２Ａは、静電潜像が形成された感光体ドラム１０１Ａの表面にブラックのトナーを供給し、静電潜像をトナー像に現像する。クリーニングユニット１０５は、感光体ドラム１０１Ａの表面に残留したトナーを回収する。
中間転写ベルト１１１は、ループ状の移動経路を形成している。中間転写ベルト１１１は下側の移動経路において感光体ドラム１０１Ａと一次転写ローラ１０４との間を通過する。一次転写ローラ１０４には、トナーの帯電極性と逆極性の一次転写バイアスが定電圧制御によって印加され、感光体ドラム１０１Ａに形成されたトナー像は中間転写ベルト１１１の外周面に転写される。
【００２５】
シアン、マゼンタ及びイエローの各色相の画像形成ステーション１１２Ｂ，１１２Ｃ，１１２Ｄのそれぞれは、画像形成ステーション１１２Ａと同様に構成されている。ただし、画像形成ステーション１１２Ｂ，１１２Ｃ，１１２Ｄのそれぞれには、シアン、マゼンタ及びイエローの各色相の画像情報によって変調された画像光が露光ユニット１１０から照射される。また、現像ユニット１０２Ｂ，１０２Ｃ，１０２Ｄのそれぞれは、シアン、マゼンタ及びイエローの各色相のトナーを感光体ドラム１０１Ｂ，１０１Ｃ，１０１Ｄに供給する。これによって、感光体ドラム１０１Ｂ，１０１Ｃ，１０１Ｄのそれぞれには、シアン、マゼンタ及びイエローの各色相のトナー像が形成される。
【００２６】
イエロー、マゼンタ、シアン及びブラックの色相の一部のみの画像情報が入力された場合には、４つの画像形成ステーションのうち、入力された画像情報の色相に対応する一部のみにおいて静電潜像の形成及びトナー像の形成が行われる。例えば、モノクロ画像形成時には、ブラックの画像形成ステーション１１２Ａのみにおいて静電潜像の形成及びトナー像の形成が行われ、中間転写ベルト１１１の外周面にはブラックの現像剤像のみが転写される。
【００２７】
フルカラー画像形成時には、４つの画像形成ステーション１１２Ａ，１１２Ｂ，１１２Ｃ，１１２Ｄの全てにおいて静電潜像の形成及びトナー像の形成が行われる。中間転写ベルト１１１の外周面にはイエロー、マゼンタ、シアン及びブラックのトナー像が順次重ね合わされて転写される。中間転写ベルト１１１の外周面に転写されたトナー像は、中間転写ベルト１１１の回転によって、二次転写ローラ１１４との対向位置に搬送される。二次転写ローラ１１４は、中間転写ベルト１１１の外周面に所定のニップ圧で圧接している。中間転写ベルト１１１と二次転写ローラ１１４との対向する位置が、用紙（被画像形成媒体）に対する画像形成が行われる画像形成位置１３０である。
【００２８】
用紙収容部１０７は、それぞれに単一種類の複数枚の用紙が収納される給紙カセット１１６Ａ，１１６Ｂ及び手差しトレイ１１７を備えている。また、デジタル複合機１には、外部の用紙収容部として、給紙装置４００，５００がオプションで備えられている。
給紙装置４００は、デジタル複合機１の下方に配置され、内部に給紙カセット１１６Ｃ，１１６Ｄを備えている。給紙装置５００は、デジタル複合機１の側面に配置され、単一種類の複数枚の用紙を大量に収納している。
【００２９】
用紙搬送部１０８には、給紙カセット１１６Ａ，１１６Ｂから画像形成位置１３０を経由してデジタル複合機１の上面に設置された後処理装置３００に至る第１用紙搬送路１３１が形成されている。この第１用紙搬送路１３１には、ピックアップローラ１２１Ａ，１２１Ｂ、給紙ローラ１２２Ａ，１２２Ｂ、レジストローラ１３２、定着ユニット１３３、第４搬送ローラ、第１排紙ローラ１３４等が配置されている。
また、用紙搬送部１０８には、手差しトレイ１１７を第１用紙搬送路１３１の用紙搬送方向におけるレジストローラ１３２の上流側に連絡する第２用紙搬送路１３５が形成されている。
【００３０】
さらに、用紙搬送部１０８には、第１用紙搬送路１３１の定着ユニット１３３と第１排紙ローラとの間を、第１用紙搬送路１３１の用紙搬送方向におけるレジストローラ１３２の上流側に連絡する第３用紙搬送路１３６（両面搬送路）が形成されている。第３用紙搬送路１３６は、用紙の両面に画像を形成する両面画像形成時に、第１排紙ローラの反転によってスイッチバック搬送される片面画像形成済の用紙が搬送されるものである。
その他、用紙搬送部１０８には、給紙装置５００を第１用紙搬送路１３１に連絡する第５用紙搬送路１３７も形成されている。給紙装置４００にある給紙カセット１１６Ｃ，１１６Ｄは、給紙装置４内部に設けられた第６用紙搬送路１３８を介して第１用紙搬送路１３１に連絡される。
【００３１】
用紙収容部７及び給紙装置４００，５００から供給された用紙は、第１用紙搬送路１３１を搬送され、画像形成位置１３０を通過する際に、中間転写ベルト１１１からのトナー像の転写を受ける。また、両面画像形成時は、トナー像が転写された用紙が第１排紙ローラの反転によってスイッチバック搬送され、第３用紙搬送路１３６を経由して再び第１用紙搬送路１３１に搬送される。そして、画像形成位置１３０を通過する際に、もう一方の面に中間転写ベルト１１１からのトナー像の転写を受ける。第１用紙搬送路１３１に配置されたレジストローラ１３２は、用紙収容部１０７（給紙カセット１１６Ａ，１１６Ｂ、手差しトレイ１１７）、給紙装置４００、給紙装置５００、または第３用紙搬送路１３６から搬送された用紙の先端が到達した時点では、回転を停止している。
【００３２】
そして、レジストローラ１３２は、レジストローラ１３２を通過した用紙の先端が画像形成位置１３０に到達した時に、中間転写ベルト１１１に付着しているトナー像の先端が画像形成位置１３０に到達するタイミングで回転を開始する。これにより、用紙は、レジストローラ１３２によって先端が画像形成位置１３０においてトナー像の先端に対向するように第１用紙搬送路１３１内を搬送される。なお、レジストローラ１３２は、回転を停止している間に用紙の先端が当接することにより、用紙の斜め送りを矯正する機能も有している。
【００３３】
画像形成位置１３０においてトナー像が転写された用紙は、定着ユニット１３３に導かれる。定着ユニット１３３は、トナー溶融温度まで昇温された加熱ローラ１１３Ａ、及び加熱ローラ１１３Ａに所定のニップ圧で圧接する加圧ローラ１１３Ｂを備えている。用紙は、定着ユニット１３３を通過する際に加熱及び加圧され、トナー像が表面に定着した状態で後処理装置３００に排出される。
【００３４】
画像形成位置１３０では、中間転写ベルト１１１の周面に付着したトナー像の全てが用紙に転写されるべきである。しかしながら、一部が中間転写ベルト１１１に残留する場合がある。また、後述する処理により、中間転写ベルト１１１の周面に付着したトナー像が用紙に転写されることなく画像形成位置１３０を通過する場合もある。このような画像形成位置１３０を通過後の中間転写ベルト１１１に残留したトナーは、クリーニングユニット１１３によって回収される。
【００３５】
一方、後処理装置３００はデジタル複合機１のオプション受渡口より排出された用紙を装置内に搬入させて、各々の後処理を行って排紙トレイに積載するものである。後処理としては、用紙をステープル留めしたり、複数の排紙トレイのうち指定した排紙トレイに排出したり、排紙トレイにおける排出位置をオフセットさせたり、といったものがある。
【００３６】
複写モードを例に挙げて、デジタル複合機１の動作を説明する。
まず、原稿を原稿搬送読取り部２００の原稿セットトレイ２１１にセットすると原稿検知センサ２１２が原稿をセットされたことを検出する。そして、原稿搬送読取り部２００の操作パネルを操作することにより印刷用紙のサイズ及び変倍率等を入力設定する。その後、操作パネル２１３の操作により複写の開始を指示する。
【００３７】
これらの操作に応答して原稿搬送読取り部２００では、ピックアップローラ２１３により原稿セットトレイ２１１上の各原稿を１枚ずつ引き出し、原稿をサバキ板２１４と搬送ローラ２１５間を介してプラテンガラス２１６へと送り出し、原稿をプラテンガラス２１６上で副走査方向に搬送して原稿排出トレイ２１７へと排出する。
【００３８】
このとき、第１読取り部２２１によって原稿の表面（下側面）を読取る。第１読取り部２２１の第１走査ユニット２２３をポジションに移動して位置決めし、第２走査ユニット２２４を所定位置に位置決めしておき、第１走査ユニット２２３の露光ランプにより原稿の表面をプラテンガラス２１６を介して照射し、原稿の反射光を第１及び第２走行ユニット２２３，２２４の各反射ミラーにより結像レンズ２２６へと導き、原稿の反射光を結像レンズ２２６によりＣＣＤ（Charge Coupled Device)２２７に集光させ、原稿の表面の画像をＣＣＤ２２７上に結像させ、これにより原稿の表面の画像を読取る。
【００３９】
また、第２読取り部２２２によって原稿の裏面（上側面）を読取る。第２読取り部２２２は、プラテンガラス２１６の上方に配置されており、原稿の裏面を照射する露光ランプ（ＬＥＤ（Light Emitting Diode）アレイ，蛍光灯等）、画素毎に、原稿の反射光を集光するセルフォックレンズアレイ、及びセルフォックレンズアレイを通じて受光した原稿の反射光を光電変換して、アナログの画像信号を出力する密着イメージセンサ（CIS；Contact Image Sensor）等を備えている。
【００４０】
更に、原稿搬送読取り部２００の上部筐体を開いて、プラテンガラス２１６上に原稿を載置し、この状態で第１読取り部２２１により原稿の表面を読取ることが可能である。この場合は、第１及び第２走査ユニット２２３，２２４を相互に所定の速度関係を維持しつつ副走査方向に移動させ、第１走査ユニット２２３によってプラテンガラス２１６上の原稿を露光し、第１及び第２走査ユニット２２３，２２４によって原稿からの反射光を結像レンズ２２６へと導き、結像レンズ２２６によって原稿の画像をＣＣＤ２２７上に結像する。
【００４１】
こうして原稿の片面もしくは両面が読取られると、原稿の片面もしくは両面の画像を示す画像データがマイクロコンピュータ等の制御部に入力され、ここで画像データに各種の画像処理が施され、この画像データが画像形成部１０６へと出力される。
【００４２】
＜インナーフィニッシャーの動作説明＞
図２は、後処理装置３００を拡大して示す図である。後処理装置３００では、後処理として、用紙をステープル留めするステープル処理、用紙にパンチ穴を空けるパンチ処理が対応可能である。後処理装置３００は、入口ローラ１７１、ステープラ１７２、パンチピン１７８、整合処理部１７３、排紙ローラ１７４、用紙後端検知センサ１７６、及び排紙トレイ１７５等を備えている。デジタル複合機１の第１排紙ローラ１３４にて排出された用紙は、入口ローラ１７１に整合処理部１７３へと搬送され、整合処理部１７３が、用紙を処理台上に順次積載して整合する。整合処理部１７３には、整合板や、パドル、掻き込みベルトなどが備えられている。
【００４３】
ステープル処理の場合、ステープラ１７２が、整合された用紙の束に対して、指定されている箇所にステープル留めを行う。ステープル留めされた用紙束は、排紙ローラ１７４にて排紙トレイ１７５上に排出される。パンチ処理の場合は、用紙後端検知センサ１７６が用紙の後端を検知した時点で、用紙の搬送が一旦停止され、パンチピン１７８が用紙の後端にパンチ穴を空ける。その後、整合処理部１７３へと搬送されて整合されたのち、排紙ローラ１７４にて排紙トレイ１７５上に排出される。
【００４４】
上述のように、第１用紙搬送路１３１は、デジタル複合機１の内部において、用紙収容部１０７から画像形成部１０６の画像形成位置１３０を経由して後処理装置３００に至る間に形成されている。第１用紙搬送路１３１内には、用紙収容部７及び給紙装置４００，５００の各給紙カセットから用紙が給紙される。各給紙カセットから用紙が給紙されたか否かは、各給紙カセットに対応して設けられた給紙センサにて検出されるようになっている。
【００４５】
また、第１用紙搬送路１３１に配置されているレジストローラ１３２の近傍には、レジストセンサが配置されている。レジストセンサは、用紙の先端が、レジストローラ１３２の配置位置に到達したか否かを検出するものである。
第１用紙搬送路１３１に配置されている第１排紙ローラ（第１排出部）１３４は、正逆駆動可能に構成されている。第１排紙ローラ１３４は、正転駆動されることで、用紙をオプション受け渡し口を通して後処理装置３００へと搬送する。また、第１排紙ローラ１３４は、用紙の後端をチャックした状態で逆転駆動されることで、用紙をスイッチバック搬送して、第３用紙搬送路１３６へと搬送する。
【００４６】
第１排紙ローラ１３４の近傍には、第１用紙後端検知センサが配置されている。第１用紙後端検知センサは、後処理装置３００へ搬送される用紙の後端が、第１排紙ローラ１３４に到達したか否かを検出するものである。スイッチバック搬送される前と後では、用紙の始端と後端は入れ替わる。
【００４７】
上記第１用紙搬送路１３１から分岐する第３用紙搬送路１３６は、第１用紙搬送路１３１における定着ユニット１３３と第１排紙ローラ１３４との間に配された第１搬送ローラ１６１の定着ユニット１３３側で分岐している。第１搬送ローラ１６１も第１排紙ローラ１３４と同様に、正逆駆動可能に構成されている。第１搬送ローラ１６１は、正転駆動されることで用紙を第１排紙ローラ１３４へと搬送する。また、第１搬送ローラ１６１は、逆転駆動されることでスイッチバック搬送された用紙を第３用紙搬送路１３６へと搬送する。
【００４８】
第３用紙搬送路１３６には、さらに第２、第３の搬送ローラ１６２，１６３が配置されている。これら第２、第３の搬送ローラ１６２，１６３は１方向にのみ回転して、用紙をレジストローラ１３２へと再度搬送する。
【００４９】
＜フィニッシャーの他の実施形態＞
図３は、後処理装置の他の例を示す概略図である。本例の後処理装置３０１は、デジタル複合機１の本体より排出された用紙を入口ローラ３１１によって装置内部に導き、デジタル複合機１からの指示により、用紙を処理せずに装置内部を素通りさせたり、装置内部で用紙を束ねて針止めするステープル処理を行う。
【００５０】
後処理装置３０１において、デジタル複合機１からの指示によりノンステープルモードが選択された場合は、用紙は、入口ローラ３１１により装置内に導入され、分岐爪３２１、３２２を通過して（通常、分岐爪３２１，３２２はノンステープル搬送経路３３１方向に位置している）、排紙ローラ３１２によって上下動可能な排紙トレイ３４１上に排出されて積載される。この時、排紙ガイド板３５１は閉じた状態にある。
【００５１】
デジタル複合機１の操作部において割り込みトレイ排出モードが選択された場合は、分岐爪３２１が所定角度回転し、用紙は割り込みトレイ搬送経路３３２に搬送され、排紙ローラ３１３によって割り込みトレイ３４２に排出されて積載される。
デジタル複合機１の操作部においてステープルモードが選択された場合は、分岐爪３２２が作動して、用紙はステープル搬送経路３３３に搬入され、さらにステープルトレイ排出ローラ３１４によってステープルトレイ３６１に排出されて積載される。
【００５２】
ステープルトレイ３６１に排出された用紙は、たたきコロ３１５によって用紙１枚毎にステープルトレイ３６１の下方向に落とされ、用紙後端基準フェンス３６２に押し当てられ、そしてその後端の整合が行なわれる。
整合された用紙は、端面綴じステープラ３６３によって用紙束後端の所定の位置に１個所、または２個所の綴じ処理が施される。綴じ処理の施された用紙束は放出ベルト（図示しない）と一体になった放出爪（図示しない）によって排紙ローラ３１２まで持ち上げられる。そして、排紙ガイド板３５１によって排紙ローラ３１２に加圧され、この排紙ローラ３１２によって排紙トレイ３４１に排出されて積載される。
【００５３】
＜デジタル複合機を用いた画像処理システムの構成例＞
図４は、本発明の一実施形態に係る画像処理装置の一例としてのデジタル複合機を用いて構築される画像処理システムの構成例を示す模式図である。図４において、１はデジタル複合機、２，３は外部コンピュータ、４はインターネットファクシミリ装置（インターネットＦＡＸ装置）、５はファクシミリ装置である。
【００５４】
デジタル複合機１は、プリント機能、コピー機能の他に、画像データをファックスで送受信する機能（ファクシミリ機能）及び／または画像データをインターネットＦＡＸで送受信する機能（インターネットＦＡＸ機能）を有する。このデジタル複合機１には、通信網を介して各種の外部機器が接続されている。例えば、ローカルな通信網として敷設されている通信ネットワークＬＮには、パーソナルコンピュータ（ＰＣ）等の外部コンピュータ２が接続されおり、図に示していないゲートウェイ等を介して接続されているインターネット網ＩＮには外部コンピュータ３及びインターネットＦＡＸ装置４が接続されている。  
【００５５】
また、デジタル複合機１には、公衆電話回線網ＰＮを介して外部のファクシミリ装置５が接続されている。なお、上述したように、本発明に係る画像処理装置をデジタル複合機１に適用した場合についてのみ説明するが、本発明に係る画像処理装置としては、複合機やプリンタなどの画像形成装置に限らず、インターネットＦＡＸ装置４やファクシミリ装置５などの画像送信装置にも適用できる。
【００５６】
以下、このデジタル複合機１の構成及び動作について説明する。図５は、図４のデジタル複合機の構成例を示す概略ブロック図で、図６は、図５のデジタル複合機におけるタッチパネル及びキー操作部の一例を示す外観図である。
【００５７】
図５で例示するデジタル複合機１は、タッチパネル１０、パネル制御部１１、記録部１２、読取部１３、フォーマット変換部１４、画像記憶部１５、画像処理部１６、符号化／復号部１７、メイン制御部１８、制御用メモリ１９、キー操作部２０、ＬＡＮ（Local Area Network）制御部２１、制御用バッファ２２、網制御部（ＮＣＵ：Network Control Unit）２３、モデム２４、及びＵＳＢ（Universal Serial Bus）インターフェース（Ｉ／Ｆ）２５を備えている。また、デジタル複合機１は、穴あけ（パンチ）やステープル処理などを行う上述のごとくの後処理装置を備えてもよく、以下、この後処理装置を備えた形態を挙げて説明する。
【００５８】
メイン制御部１８は、ＣＰＵ（Central Processing Unit）又はＤＳＰ（Digital Signal Processor）などで構成される。制御用メモリ１９は、ＲＯＭ（Read Only Memory）やＥＥＰＲＯＭ（Electrically Erasable and Programmable ROM）等の不揮発性メモリなどで構成される。制御用メモリ１９内にはメイン制御部１８から読み出し可能なように、プログラム（ファームウェア）と各種設定データとが格納されている。このうち少なくとも各種設定データは書き換え可能なメモリに格納されている。また、これらのプログラムや各種設定データは、後述する画像記憶部１５の構成例としてのハードディスクに記憶してもよい。また、制御用バッファ２２はＲＡＭ（Random Access Memory）等の揮発性メモリで構成される。
【００５９】
上述のプログラムは、プレビュー画像の生成や表示に係る命令をはじめ、ファクシミリ画像や電子メール等の生成・送信・受信等に係る命令、原稿の読み取りに係る命令、印刷に係る命令、原稿の読み取り及び印刷（つまりコピー）に係る命令などを、メイン制御部１８が他の部位に対して行うためのものである。このプログラムは、メイン制御部１８により、制御用バッファ２２上に展開され、制御用バッファ２２を一時保存（作業）用のデータ領域として、各種設定データを適宜参照しながら実行される。
【００６０】
読取部１３は、ＣＣＤ（Charge Coupled Device）を利用したスキャナで、原稿を所定の解像度のＲＧＢ（Ｒ：赤、Ｇ：緑、Ｂ：青）のビットマップ画像として読み取り、読み取ったＲＧＢの画像データ（ドットイメージデータ）を画像処理部１６に出力する。画像処理部１６は、ＡＳＩＣ（Application Specific Integrated Circuit）などで構成され、対象となる画像データに対して様々な画像処理を施す。画像処理の例については後述する。上述のＡＳＩＣには符号化／復号部１７等の他の部位も組み込んでよい。
【００６１】
画像記憶部１５は、ハードディスク等で構成され、読取部１３で読み取り画像処理部１６を経た画像データや、ＬＡＮ制御部２１やＮＣＵ２３等を介して外部から受信した画像データなどを記憶する。画像記憶部１５に画像データを記憶する際には、符号化／復号部１７で符号化したデータを記憶することもできる。また、画像記憶部１５は、画像処理部１６での画像処理中に発生する中間データの一時的な保存も行ってもよい。
【００６２】
符号化／復号部１７は、画像データを符号化により圧縮すると共に、符号化画像データを元の画像データに復号（伸張）する。例えば、符号化／復号部１７は、原稿を読み取った画像データの符号化、その符号化データの復号、及び外部から受信した符号化画像データの復号などを行う。符号化／復号部１７では、ファイリングで一般的に使用されているＪＰＥＧ（Joint Photographic Experts Group）や、ファクシミリ通信で一般に使用されているＭＨ（Modified Huffman）、ＭＲ（Modified READ）、及びＭＭＲ（Modified Modified READ）など、用途に応じた符号化方式を用いることができる。また、符号化方式として、ＩＰファクシミリ通信ではＭＨを採用することができ、インターネットファクシミリ通信ではＭＨ、ＭＲ、ＭＭＲの他にＪＰＥＧやＪＢＩＧ（Joint Bi-level Image Experts Group）を採用することができる。
【００６３】
フォーマット変換部１４は、読み取られた画像データや外部から受信した画像データを、ＰＤＦ（Portable Document Format）、ＧＩＦ（Graphics Interchange Format）、ＴＩＦＦ（Tag Image File Format）等の所定のファイルフォーマットに変換する。
【００６４】
記録部１２は、電子写真方式やインクジェット方式などの印刷方式を採用したプリンタ装置を備え、画像記憶部１５に記憶された画像データなどを、記録用紙などの被画像形成媒体に記録（つまり印刷）する。
また、ＵＳＢ  Ｉ／Ｆ２５は、ＵＳＢメモリ等のＵＳＢ機器に接続するためのＩ／Ｆであり、画像記憶部１５に記憶された原稿読み取り後の画像データ等をＵＳＢ機器に出力したり、ＵＳＢ機器からファイルを読み込んだりする。
【００６５】
モデム２４は、ファクシミリ通信が可能なファクシミリモデムから構成されており、電話回線と接続され、またＮＣＵ２３と直接的に接続されている。ＮＣＵ２３は、電話回線と接続され、回線の制御を行う。すなわち、ＮＣＵ２３は、アナログの公衆電話回線網（ＰＳＴＮ）との回線の閉結及び開放の動作を行うハードウェアであり、必要に応じてモデム２４を公衆電話回線網と接続する。このような構成により、画像記憶部１５に記憶された画像データを外部へファクシミリ送信することや、電話回線からファクシミリ画像データを受信して、画像記憶部１５に記憶したり記録部１２で直接印刷したりすることが可能となる。
【００６６】
ＬＡＮ制御部２１は、ＬＡＮと接続され、インターネット経由による電子メールデータの通信及びインターネットＦＡＸの通信を行う。インターネットＦＡＸは、ＬＡＮインターフェース等を用いてＬＡＮ等のコンピュータネットワークを介して、電子メールを送受信するものである。
【００６７】
タッチパネル１０又はキー操作部２０は、原稿の読み取り処理、画像データ送信、印刷等の処理の中から所望の処理を選択するための操作、その処理を開始するための操作、各処理を実行する際に必要となる設定を行うための操作（選択操作又は入力操作）などを受け付ける。この設定としては、例えば印刷時の印刷枚数の設定、穴あけ（パンチ）やステープルの設定、ファクシミリ画像や電子メールの送信時の相手先情報の設定など、様々挙げられる。
【００６８】
キー操作部２０は、操作するために必要なキー群を備えている。タッチパネル１０は、表示部とタッチセンサ等の操作受付部とを有する。タッチパネル１０は、パネル制御部１１によってその表示制御及び操作受け付けの制御がなされる。つまり、パネル制御部１１は、タッチパネル１０における表示部の表示制御や操作受付部の操作受付制御を行う。
【００６９】
タッチパネル１０の表示部には、現在の動作状態や設定情報（例えば送信先等）などが表示される。この表示は、ＧＵＩ（Graphical User Interface）画像を表示させるように、パネル制御部１１が制御することで実現される。ＧＵＩにより、ユーザ操作に応じてその表示及び操作受付位置を変更することができる。各ＧＵＩ及びその画像は、パネル制御部１１の内部メモリまたは制御用メモリ１９に、読み出し可能に格納しておけばよい。また、表示部としては、液晶ディスプレイや有機ＥＬ（Electroluminescence）ディスプレイなど、様々な表示形式の表示装置を採用することができる。
【００７０】
タッチパネル１０上で受けたユーザ操作はパネル制御部１１で解釈され、操作信号としてメイン制御部１８に伝送される。キー操作部２０で受けたユーザ操作は、キー操作部２０自身で解釈され、操作信号としてメイン制御部１８に伝送される。メイン制御部１８は、このようにして得た操作信号に応じた命令を他の部位に発することで、ユーザ操作に応じた処理を他の部位に実行させる。なお、表示装置及び操作部が一体となったタッチパネル１０を挙げて説明したが、タッチパネル１０の代わりに単に表示装置のみを設けてもよく、その場合、キー操作部２０のみでユーザ操作を受け付ける。
【００７１】
タッチパネル１０及びキー操作部２０は、図６で例示するような操作パネル３０として構成してもよく、操作パネル３０は、各種ハードウェアキーを備えるキー操作部３１（キー操作部２０に相当する）と、液晶ディスプレイ及びタッチセンサにより構成されるタッチパネル３２（タッチパネル１０に相当）とにより構成される。以下、図５の構成においてタッチパネル１０及びキー操作部２０の代わりにタッチパネル３２及びキー操作部３１を当てはめて、本発明の詳細について説明する。
【００７２】
キー操作部３１は、ハードウェアキーとして、数値入力のためのテンキー３１ａ、入力した設定値をクリアするためのクリアキー３１ｂ、入力した各種設定を全解除するための全解除キー３１ｃ、コピー開始、送信開始等の指示を受付けるスタートキー３１ｄの他、プリント機能、送信機能、及びコピー機能を切替える機能切替キー３１ｅ，３１ｆ，３１ｇ、並びに、ユーザによる設定を受付けるシステム設定キー３１ｈを備えている。
【００７３】
上述した構成例のデジタル複合機１における動作例について説明する。
＜原稿読み取り動作＞
原稿読み取り動作は、読み取った原稿の画像データを画像記憶部１５に記憶（ファイリング）する場合、読み取った原稿の画像データを外部に送信する場合、読み取った原稿の画像データを印刷する場合（つまりコピーする場合）などに行われる。
【００７４】
原稿読み取りを必要とするような処理を行うユーザ操作が操作パネル３０で受け付けられたとき、メイン制御部１８は、読取部１３、画像記憶部１５、画像処理部１６、及び符号化／復号部１７などに指示を行い、次に説明するような処理を実行させる。
【００７５】
読取部１３は、原稿台または自動原稿送り装置に載置された原稿の画像を光学的に読み取り、読み取った結果であるＲＧＢ画像データ（ＲＧＢのビットマップデータ）を画像処理部１６に渡す。画像処理部１６は、そのＲＧＢ画像データに対して、Ａ／Ｄ変換、シェーディング補正、γ補正などの各種画像処理（以下、原稿画像処理という）を実行する。ここで、シェーディング処理は、読取部１３の照明系・結像系・撮像系で生じる各種歪みを取り除く処理である。
【００７６】
原稿画像処理としては、Ａ／Ｄ変換、シェーディング補正、γ補正に続き、原稿判別処理、領域分離処理を実行するとよい。原稿判別処理は、入力された画像データ（ここではγ補正後の画像データ）から、原稿の種別を判別する処理と原稿がカラー原稿であるのか白黒原稿であるのかを判別する処理とを含む。原稿の種別としては、例えば文字原稿、印刷写真原稿、それらが混在した文字印刷写真原稿などが挙げられる。
【００７７】
画像処理部１６は、これらの原稿判別処理及び白黒／カラー原稿判別処理の結果として、判別信号（以下、原稿判定データという）を出力する。領域分離処理とは、入力された画像データ（ここではγ補正後の画像データ）の各画素がどのような種類の領域に属するのかを判定する処理であり、例えば、各画素が黒文字の領域、色文字の領域、網点の領域などのいずれの領域に属する画素であるのかを判定する処理である。画像処理部１６は、この判定結果として領域分離データを出力する。なお、この領域分離処理は、上述の原稿判別処理及び白黒／カラー判別処理の結果に基づき実行してもよい。
【００７８】
原稿判定データ及び領域分離データは、対応する画像データ（原稿画像処理後の画像データ）に関連付けられて、画像記憶部１５に記憶される。このとき、符号化／復号部１７で原稿判定データ及び領域分離データを符号化した後、各符号化データを対応する画像データと関連付けて画像記憶部１５に記憶する。なお、画像記憶部１５へ記憶する際の符号化は必須ではないが、以下の説明では符号化した状態で画像データが記憶されるものとして説明する。原稿読み取り動作以外の動作についても同様とする。
【００７９】
＜印刷動作＞
上述した原稿読み取り動作により、読み取った原稿の画像データのファイリングまでは完了する。次に、読み取った原稿の画像データを印刷する場合（つまり原稿をコピーする場合）の印刷動作について説明する。印刷を必要とするような処理を行うユーザ操作が操作パネル３０で受け付けられたとき、メイン制御部１８は、記録部１２、画像記憶部１５、画像処理部１６、及び符号化／復号部１７などに指示を行い、次に説明するような処理を実行させる。なお、メイン制御部１８は、例えばコピー操作がなされたときには読取部１３への指示（原稿読み取り指示）も行うことになる。
【００８０】
また、デジタル複合機１は、印刷時に、定型スタンプ、日付（又は日時）、ページ番号などの付加情報を画像データに付加することが可能になっており、このような付加の指示があった場合にはメイン制御部１８が画像処理部１６を制御する。画像データに付加された付加情報は付加画像であると言える。付加情報は制御用メモリ１９に記憶され、必要に応じて読み出される。勿論、元々付加情報を付加画像のデータとして格納しておいてもよい。
【００８１】
また、付加情報を複数、制御用メモリ１９に格納しておくと共に、付加設定情報を制御用メモリ１９に格納しておくとよい。この付加設定情報としては、画像データに対して付加する位置（以下、付加位置という）を示す情報を少なくとも含み、複数の付加情報が格納されている場合にはそのいずれを選ぶかの情報も含むものとする。また、後処理装置でのパンチやステープル処理を実行する指示があった場合には、メイン制御部１８はこの後処理装置も制御する。
【００８２】
符号化／復号部１７は、画像記憶部１５から印刷対象の画像データとそれに対応する原稿判定データ及び領域分離データとを読み出して復号し、画像処理部１６に渡す。画像処理部１６は、復号後の画像データ（ＲＧＢ画像データ）に対して各種画像処理（以下、印刷用画像処理という）を実行する。印刷用画像処理としては、以下にその概略を説明するように、画質調整処理、二色化処理、色補正処理、黒生成／下色除去処理、空間フィルタ処理、変倍処理、出力階調補正処理、及び中間調生成処理などが挙げられる。黒生成／下色除去処理、空間フィルタ処理、及び中間調生成処理は、領域分離データが示す各種領域に応じた処理となる。
【００８３】
画質調整処理としては、復号後の画像データから下地の検出を行って下地除去を行う。また、画質調整処理としては、操作パネル３０によりユーザ設定された設定情報に基づいて、下地除去後の画像データについてＲＧＢの調整（カラー調整、赤み青みといった全体のカラー調整）、明るさの調整、及び鮮やかさの調整も行う。このとき、原稿判定データが示す原稿種別に応じた調整を行ってもよい。
【００８４】
色補正処理としては、画質調整処理後のＲＧＢデータから、ＲＧＢの補色であるＣＭＹ（Ｃ：シアン、Ｍ：マゼンタ、Ｙ：イエロー）を構成要素とするＣＭＹデータを生成し、色再現性を高める処理を行う。黒生成／下色除去処理としては、色補正後のＣＭＹデータから黒（Ｋ）データを生成する黒生成処理と、元のＣＭＹデータから黒生成で得たＫデータを差し引いて新たなＣＭＹデータを生成する下色除去処理とを行う。
【００８５】
空間フィルタ処理としては、これら４色のデータであるＣＭＹＫデータに対して強調処理や平滑化処理を行う。画像データを二色（例えば赤と黒）で出力する二色カラーモードが選択された場合には、二色化処理が実行される。
二色化処理としては、ＲＧＢデータから指定の二色（この場合、赤色と黒色）を表現するＣＭＹデータに変換する処理を行う。二色カラーモードの場合、黒生成／下色除去処理は二色化処理後のＣＭＹデータに対して実行され、空間フィルタ処理も実行されるが、色補正処理は実行されない。
【００８６】
変倍処理としては、空間フィルタ処理後のＣＭＹＫデータに対し、操作パネル３０でユーザ操作により設定された印刷倍率に基づいて画像拡大処理又は画像縮小処理を行う。印刷倍率とは、読み取られ記憶された画像データが示す画像に対する印刷後の画像の倍率である。勿論、印刷倍率はユーザ操作により得られた倍率に限らず、印刷倍率に対する操作がなかった場合にはデフォルト設定の倍率となる。出力階調補正処理としては、ＣＭＹＫデータに対し、記録用紙等の記録媒体に出力するための出力γ補正処理を行う。中間調生成処理としては、出力階調補正処理後のＣＭＹＫデータに対して、誤差拡散処理やディザ処理により、画像を出力するための階調再現処理を行う。出力階調補正処理や中間調生成処理では、例えば文字領域とそれ以外で処理内容を異ならせるなど、原稿判定データが示す原稿種別に応じた処理を行ってもよい。
【００８７】
中間調生成処理後のＣＭＹＫデータは記録部１２に渡される。付加情報を付加する場合について説明する。付加情報についても印刷データの変倍率に応じて変倍処理を施す方法と、付加情報は印刷データの変倍率に関係なく変倍処理を施さない方法とがある。まず、付加情報も変倍処理する場合には、メイン制御部１８が付加情報及び付加位置を示す情報を読み出して、メイン制御部１８又は画像処理部１６が必要に応じて画像データに変換し、変倍処理の前にこの付加情報の画像データを画像処理部１６に渡す。なお、この変換は元々付加画像データが格納されている場合には必要ない。続いて、画像処理部１６が、付加情報の画像データを、変倍処理前の画像データである付加先の画像データに対し上記付加位置に合成すればよい。
【００８８】
付加情報を変倍処理しない場合には、メイン制御部１８が付加情報及び付加位置を示す情報を読み出して、メイン制御部１８又は画像処理部１６が必要に応じて画像データに変換する。この例では変換によりＣＭＹＫデータとなる。なお、この変換は元々付加画像データが格納されている場合には必要ない。続いて、画像処理部１６が、付加情報の画像データを、変倍処理後の画像データである付加先の画像データ（出力階調補正処理又は中間調生成処理の対象となる上述のＣＭＹＫデータ）に対し上記付加位置に合成すればよい。
【００８９】
いずれの場合にも、画像処理部１６が付加情報を付加した状態の中間調生成処理後のＣＭＹＫデータを出力することができる。なお、デジタル複合機１では、付加情報やその付加位置は、次に説明するプレビュー表示を行いながら操作パネル３０によりユーザ設定可能とする。
【００９０】
記録部１２は、このようにして画像処理部１６で印刷用画像処理が施された画像データ（この例ではＣＭＹＫの画像データ）を受け取り、電子写真方式やインクジェット方式などによりハードコピー（プリントアウト）する。そして、ここで印刷された用紙に対して、後処理装置が必要に応じてパンチやステープル処理を実行する。なお、ここで説明した印刷動作の対象データは、読取部１３で読み取られた画像データに限ったものではなく、例えば、ＵＳＢメモリ等の外部記録媒体やネットワーク接続されたＰＣなどから事前に転送され画像記憶部１５に記憶された画像データ（画像ファイル）についても、同様に適用できる。ファクシミリ受信し画像記憶部１５に記憶された画像データの印刷動作については後述する。
【００９１】
＜印刷する画像データのプレビュー表示動作＞
次に、原稿読み取りの結果として画像記憶部１５に記憶された画像データを、印刷前にタッチパネル３２でプレビュー表示する動作（プレビュー表示動作）について説明する。デジタル複合機１は、印刷対象となった画像データについてプレビュー表示を可能にする構成を有する。このプレビュー表示動作は、プレビュー表示を必要とするような処理を行うユーザ操作が操作パネル３０で受け付けられたときに行われる。例えば、原稿読み取り後の画像データに対して印刷実行前にまずプレビュー表示を行う設定になっているときなどにも、プレビュー表示動作がなされる。例えば、プレビュー表示を行う設定後に、コピー条件を設定してスタートキーを押下した段階で、原稿の読み取りを開始し、読み取った後にプレビュー画像をタッチパネル３２に表示させてもよい。
【００９２】
本発明に係る実施形態では、プレビュー表示を実行させる際に、プレビューの対象となる画像データのプレビュー画像が生成中である旨と、プレビュー画像の生成の進捗状況をメッセージ等により表示させ、ユーザに装置の状態を認識させるようにしている。以下の各動作におけるプレビュー表示についても同様である。この特徴の具体例については後述する。
【００９３】
メイン制御部１８は、画像記憶部１５、画像処理部１６、符号化／復号部１７、及びパネル制御部１１などに指示を行い、次に説明するような処理を実行させる。なお、メイン制御部１８は、例えば原稿をコピーする操作がなされたときには読取部１３への指示（原稿読み取り指示）も行うことになる。
【００９４】
符号化／復号部１７は、画像記憶部１５からプレビュー対象の画像データとそれに対応する原稿判定データ及び領域分離データとを読み出して復号し、画像処理部１６に渡す。画像処理部１６は、復号後の画像データ（ＲＧＢ画像データ）に対して各種画像処理（以下、プレビュー用画像処理という）を実行する。プレビュー用画像処理としては、以下にその概略を説明するように、画質調整処理、二色化処理、色補正処理、空間フィルタ処理、変倍処理、及び出力階調補正処理などが挙げられる。空間フィルタ処理及び出力階調補正処理は、領域分離データが示す各種領域に応じた処理となる。
【００９５】
ここでの画質調整処理は、印刷用画像処理での画質調整処理と同様である。色補正処理としては、タッチパネル３２の表示特性に基づいて、画質調整処理後の画像データ（ＲＧＢデータ）をＲ′Ｇ′Ｂ′データに変換する処理を行う。空間フィルタ処理としては、このＲ′Ｇ′Ｂ′データに対して強調処理や平滑化処理を行う。
【００９６】
変倍処理としては、空間フィルタ処理後のＲ′Ｇ′Ｂ′データに対し、印刷倍率に応じた画像拡大処理／画像縮小処理を施し、さらにそのＲ′Ｇ′Ｂ′データの画素数をタッチパネル３２の画素数（表示解像度）に変換する処理を行うと共に、プレビュー表示倍率に基づいて画像拡大処理や画像縮小処理を行う。なお、プレビュー表示倍率とは、例えば２倍、４倍等の倍率であって、プレビュー表示時の画像の倍率である。
【００９７】
画像処理部１６に設けたプレビュー画像生成部１６ａは、主にこのようなプレビュー表示用の変倍処理によりプレビュー表示用の画像（プレビュー画像）を生成する。
【００９８】
ここで、付加情報を付加する場合のプレビュー画像について説明する。上述のように、デジタル複合機１では、出力対象の画像データに付加情報を付加して出力することが可能となっており、プレビュー表示は、パネル制御部１１が、付加情報を示す画像を表示させる制御を行うことで実行される。そのため、プレビュー画像生成部１６ａが、このような付加情報を示す画像を生成し出力対象の画像データから生成したプレビュー画像に合成することで、付加情報付きのプレビュー画像を生成する。これをパネル制御部１１がタッチパネル３２に表示させる。
【００９９】
付加情報は、印刷倍率に応じて変倍処理を行って印刷対象の画像データと共に出力することができ、また印刷倍率に応じた変倍処理を行った後の印刷対象の画像データに付加して出力することもできる。まず、付加情報も変倍処理して出力する場合には、メイン制御部１８が付加情報及びその付加位置を読み出して、変倍処理の前に画像処理部１６に渡す。続いて、プレビュー画像生成部１６ａが、この付加情報を示す画像のＲ′Ｇ′Ｂ′データを生成し、変倍処理前の画像データである付加先の画像データに対し上記付加位置に合成する。そして、付加情報の画像が付加された後のＲ′Ｇ′Ｂ′データに対し、印刷倍率に応じた画像拡大処理／画像縮小処理を施すとよい。
【０１００】
付加情報を変倍処理しない場合には、メイン制御部１８が付加情報及びその付加位置を読み出して画像処理部１６に渡す。続いて、プレビュー画像生成部１６ａがこの付加情報から付加情報を示す画像のＲ′Ｇ′Ｂ′データを生成し、それを印刷倍率に応じた画像拡大処理／画像縮小処理後のＲ′Ｇ′Ｂ′データに対し上記付加位置に合成し、付加後のＲ′Ｇ′Ｂ′データの画素数をタッチパネル３２の画素数（表示解像度）に変換する処理を行うと共に、プレビュー表示倍率に基づいて画像拡大処理や画像縮小処理を行う。
【０１０１】
また、後処理装置においてパンチやステープル処理を施す場合には、印刷対象となる画像データ（及び付加情報を示す画像のデータ）から生成したプレビュー画像にパンチ穴やステープル等の後処理の画像データを、パンチ位置やステープル位置に合成して出力することができる。もしくは、印刷対象となる画像データ（及び付加情報を示す画像のデータ）から生成したプレビュー画像とは別に、その近隣に、パンチ穴やステープル等の後処理の画像データを合わせて出力してもよい。後者の場合、合成処理が不要となるため、処理速度が速くなる。いずれの方法によっても、画像データのプレビュー表示時に、画像形成する用紙の仕上がり状態を表示させることができる。
【０１０２】
出力階調補正処理としては、プレビュー画像のＲ′Ｇ′Ｂ′データまたはプレビュー画像及び後処理の画像のＲ′Ｇ′Ｂ′データに対し、タッチパネル３２で画像データを表示するための出力γ補正処理を行う。出力階調補正処理では、例えば文字領域とそれ以外で処理内容を異ならせるなど、原稿判定データが示す原稿種別に応じた処理を行ってもよい。
【０１０３】
二色化処理は、画像データを例えば赤と黒の二色で出力する二色カラーモードが選択された場合のみに実行される。二色化処理としては、画質調整処理後のＲＧＢデータから指定の二色（この場合、赤色と黒色）を表現するＣＭＹデータに変換する処理を行う。生成されたＣＭＹＫデータは、後段の色補正処理において、タッチパネル３２の表示特性に基づいてＲ′Ｇ′Ｂ′データに変換される。
【０１０４】
プレビュー画像生成部１６ａで生成され出力階調補正処理されたＲ′Ｇ′Ｂ′データは、タッチパネル３２に渡される。パネル制御部１１は、このＲ′Ｇ′Ｂ′データに対応する画像をＧＵＩ画像に組み込んで表示させる制御を、タッチパネル３２に対して行い、タッチパネル３２でこのＧＵＩ画像を表示する。ユーザは、この付加情報を示す画像を含むプレビュー表示された画像を確認して、このまま印刷を実行するか中止するか、或いは付加情報を削除するか、付加位置の変更（または付加情報の変更）などを実行するかなどを判断して、それに応じた操作を行うことができる。
【０１０５】
＜原稿読み取り・プレビュー表示・印刷についての補足＞
プレビュー表示動作について印刷動作と別個に説明したが、まず印刷動作として出力階調補正処理を施した後の画像データ（ＣＭＹＫデータ）を、タッチパネル３２の表示特性に基づいてＲ′Ｇ′Ｂ′データに変換し、タッチパネル３２の画素数（表示解像度）に合わせた変換処理やプレビュー表示時の変倍処理を行って、ＧＵＩ画像に組み込んでタッチパネル３２に表示してもよい。印刷動作がある程度完了しておりプレビュー表示後の印刷動作が素早く完了できるため、例えばコピー操作がなされたときに事前にプレビュー表示を行うような設定となっている場合などに有用である。
【０１０６】
また、原稿読み取り動作として、符号化した画像データと原稿種別データと領域分離データとを対応付けて画像記憶部１５に格納する例を挙げ、この例に基づき印刷動作時やプレビュー表示動作についても説明した。この代替方法として、読取部１３で読み込んだ画像データのみを対象として符号化して、一旦、画像記憶部１５に格納しておいてもよい。この場合、印刷動作時やプレビュー表示動作時に、画像記憶部１５から読み出し符号化／復号部１７で復号した画像データに対して、画像処理部１６が原稿種別判別処理や領域分離処理を施すように構成すればよい。また、このような代替方法は、後述するファクシミリ送信やインターネットＦＡＸ送信等の画像データ送信時にも適用することができる。
【０１０７】
＜ファイリング動作についての補足＞
ファイリング動作（ドキュメントファイリング動作）は、原稿読み取り動作として説明したように、読み取った画像データを（必要に応じて符号化して）、デジタル複合機１の内部に設けられた画像記憶部１５に記憶する動作である。ファイリング時でも、記憶対象の画像データに対して付加情報を付加してから記憶（ファイリング）することができる。画像記憶部１５にファイリングする画像データのプレビュー表示動作については、基本的に印刷する画像データについて説明した通りである。
【０１０８】
＜ファクシミリ受信した画像データの印刷動作＞
次に、ファクシミリ通信により受信した画像データの印刷動作について説明する。メイン制御部１８は、モデム２４でファクシミリ通信要求を検知したときに、記録部１２、画像記憶部１５、画像処理部１６、ＮＣＵ２３、及びモデム２４などに指示を行い、次に説明するような処理を実行させる。
【０１０９】
まず、モデム２４及びＮＣＵ２３は、通信手続きを行いながら送信元から送信されてくる画像データ（圧縮画像データ）を順次受信し、受信した圧縮画像データの伸張を行うと共に、必要に応じて回転処理（送信方向を回転させる処理）や解像度変換処理などを実行して、画像処理部１６に渡す。
【０１１０】
ファクシミリ通信により受信した画像データは白黒２値であるので、画像処理部１６では、伸張等の処理を行った画像データ（Ｋデータ）に対して、特に処理を施さず、そのまま記録部１２に渡される。記録部１２は、この画像データを受け取り、電子写真方式やインクジェット方式などにより印刷を実行する。また、ファクシミリ通信によって受信した画像データに対しても、上述した付加情報を付加した後に印刷することもできる。
【０１１１】
モノクロ画像でのファクシミリ受信について説明したが、カラーのファクシミリ画像（ＲＧＢデータ）を受信した際には、画像処理部１６がここで説明したファクシミリ受信用画像処理をこのＲＧＢデータに対して実行するなどすればよい。
【０１１２】
＜ファクシミリ受信した画像データのプレビュー表示動作＞
ファクシミリ通信により受信した画像データのプレビュー表示動作について、同画像データの印刷動作に基づき簡単に説明する。このプレビュー表示動作は、受信した画像データを事前に確認してから印刷を実行するような事前設定やユーザ操作があったときなどに行われる。このプレビュー表示動作では、画像処理部１６が、伸張等の処理を施した後の画像データに対して、付加情報を付加する場合にはその付加情報の画像データを合成した後に、さらにタッチパネル３２の画素数（表示解像度）に合わせた変換処理及びプレビュー表示時の変倍処理を行い、変倍処理後の画像データがＧＵＩ画像に組み込まれてタッチパネル３２に表示されることになる。
このようにファクシミリ受信した画像データについて印刷を実行する前のプレビュー表示時にはコピーモードとして取り扱ってよい。ユーザは、このプレビュー表示された画像を確認して、印刷を実行するか破棄するかを判断して、印刷または破棄の操作を行うことができる。
【０１１３】
＜ファクシミリ送信動作＞
次に、読み取った原稿の画像データをファクシミリ送信する場合の送信動作について説明する。ファクシミリ画像データは、タッチパネル３２またはキー操作部３１でのユーザ操作により設定された相手先（送信先）情報に対して送信される。相手先情報（この例では電話番号）は制御用メモリ１９に記憶され、必要に応じて読み出される。通常、相手先情報は、アドレス帳データとして複数の相手先の情報が閲覧可能に且つ選択可能に格納されているか、或いは送信前に直接入力される。
【０１１４】
ファクシミリ送信を実行するためのユーザ操作が操作パネル３０で受け付けられたとき、メイン制御部１８は、画像記憶部１５、画像処理部１６、符号化／復号部１７、ＮＣＵ２３、及びモデム２４などに指示を行い、次に説明するような処理を実行させる。なお、メイン制御部１８は、例えば原稿をファクシミリ送信する操作がなされたときには読取部１３への指示（原稿読み取り指示）も行うことになる。なお、画像記憶部１５に記憶された画像データについてプレビュー表示を実行しながら、送信対象の画像データを選択し、その画像データについてファクシミリ送信を開始することも可能である。
【０１１５】
符号化／復号部１７は、印刷対象の画像データとそれに対応する原稿判定データ及び領域分離データとを画像記憶部１５から読み出して復号し、画像処理部１６に渡す。画像処理部１６は、復号後の画像データ（ＲＧＢ画像データ）に対して各種画像処理（以下、ファクシミリ送信用画像処理という）を実行する。ファクシミリ送信用画像処理としては、以下にその概略を説明するように、画質調整処理、空間フィルタ処理、変倍処理、出力階調補正処理、及び中間調生成処理などが挙げられる。空間フィルタ処理及び中間調生成処理は、領域分離データが示す各種領域に応じた処理とすればよいが、領域分離データを用いなくてもよい。さらに、ファクシミリ送信に伴う原稿読み取り動作では、読み取った画像データに対する領域分離処理やその領域分離データの符号化及び記憶を実行しなくてもよい。
【０１１６】
画質調整処理としては、復号後の画像データを、マトリクス係数を用いてＫデータに変換する。このとき、原稿判定データが示す原稿種別に応じたマトリクス係数を用いてもよい。空間フィルタ処理としては、このＫデータに対して強調処理や平滑化処理を行う。変倍処理としては、空間フィルタ処理後のＫデータに対し、操作パネル３０で設定された送信解像度又はデフォルト設定の送信解像度に応じて画像拡大処理や画像縮小処理を行う。
【０１１７】
出力階調補正処理としては、変倍処理後のＫデータに対し、例えば送信先における記録用紙等の記録媒体に出力することを目的とした出力γ補正処理を行う。実際には、送信先の機器を考慮した出力γ補正でなく一般的な機器に対する出力γ補正を行えばよい。中間調生成処理としては、出力階調補正処理後のＫデータに対して、例えば誤差拡散処理により二値化を行う。出力階調補正処理や中間調生成処理では、原稿判定データが示す原稿種別に応じた処理を行ってもよい。
【０１１８】
モノクロ画像でのファクシミリ送信について説明したが、カラー画像でのファクシミリ送信の際には、画像処理部１６が上述のファクシミリ送信用画像処理において、画質調整処理として、復号後の画像データを、マトリクス係数を用いてカラー伝送用のＬ＊ａ＊ｂ＊データに変換する処理を行い、その後の処理をこのＬ＊ａ＊ｂ＊データについて行うなどすればよい。
【０１１９】
中間調生成処理後の画像データは、必要に応じて回転処理が施され、符号化／復号部１７でファクシミリ送信時の圧縮形式で圧縮符号化されて、画像記憶部１５に一時的に保存される。モデム２４は、ＮＣＵ２３を介して設定された送信先との送信手続きを行い、送信先との通信を確立した段階（送信可能な状態にした段階）で、この一時的に保存されている符号化されたＫデータを読み出し、圧縮形式の変更などの必要な処理の後に公衆回線網を介して送信先に順次送信する。
【０１２０】
そして、デジタル複合機１は、送信対象の画像データにも、付加情報を付加して送信することが可能となっている。この例のように画像データを外部へ送信する際には、付加情報として、スタンプ、日付（日時）、ページ番号の他に、送信元情報（発信元情報）も付加情報を付加することが可能となっている。ここで、画像データ送信時に付加する送信元情報には、送信者の名称の情報、送信元の電話番号の情報、送信元の電子メールアドレスの情報のいずれか１または複数を含むとよい。また、付加情報としては、画像データ送信時には送信先の情報（相手先の情報）なども付加してもよい。
【０１２１】
付加情報を付加してファクシミリ送信する場合には、次のような合成処理を行えばよい。メイン制御部１８が付加情報及び付加位置を示す情報を読み出して、メイン制御部１８または画像処理部１６が画像データに変換し、画像処理部１６が、変換後の画像データ（付加情報の画像データ）を、変倍処理後の画像データである付加先の画像データに対し上記付加位置に合成すればよい。
デジタル複合機１では、付加情報の画像データを付加する位置は、次に説明するプレビュー表示を行いながら操作パネル３０によりユーザ設定可能とする。この合成後の画像データは、上述した出力階調補正処理や回転処理や圧縮処理などが施された後に、送信先に送信されることになる。
【０１２２】
＜ファクシミリ送信する画像データのプレビュー表示動作＞
デジタル複合機１は、ファクシミリ送信等で送信対象となった画像データについてプレビュー表示を可能にする構成を有する。このプレビュー表示動作は、送信前の画像データを事前に確認してから送信を実行するような事前設定やユーザ操作があったときなどに行われる。ファクシミリ送信対象となる画像データのプレビュー表示動作について、同画像データのファクシミリ送信動作に基づき説明する。プレビュー表示動作においてはメイン制御部１８はパネル制御部１１への指示も行う。
【０１２３】
このプレビュー表示動作では、画像処理部１６が、画質調整処理、及び空間フィルタ処理（及び変倍処理）まではファクシミリ送信時と同じ処理を行い、プレビュー画像生成部１６ａによるプレビュー画像生成処理を実行し、出力階調補正処理として画像データを表示するための出力γ補正処理を行うとよい。このプレビュー画像生成処理として、プレビュー画像生成部１６ａは、送信解像度に応じた画像拡大処理／画像縮小処理を施した画像データに対して、タッチパネル３２の画素数（表示解像度）に合わせた変換処理と、プレビュー表示時の縮小／拡大率に応じた変倍処理とを行うことでプレビュー画像のデータを生成する。
なお、このプレビュー表示動作では、空間フィルタ処理は実行されなくてもよく、また中間調生成処理は実行されない。ここで、データ送信モードとは、ファクシミリ送信モード、インターネットＦＡＸ送信モード、ファイル転送モードなど、外部（外部機器）に画像データを送信するためのモードであり、イメージ送信モードとも言う。
【０１２４】
プレビュー画像生成部１６ａで生成され出力階調補正処理されたＲ′Ｇ′Ｂ′データは、タッチパネル３２に渡される。パネル制御部１１は、このＲ′Ｇ′Ｂ′データに対応する画像をＧＵＩ画像に組み込んで表示させる制御を、タッチパネル３２に対して行い、タッチパネル３２でこのＧＵＩ画像を表示する。
【０１２５】
付加情報を付加して送信する場合のプレビュー画像について説明する。付加情報は、送信解像度に応じた変倍処理を行った後の画像データに付加して出力する。より具体的には、メイン制御部１８が付加情報及びその付加位置を読み出して画像処理部１６に渡す。続いて、プレビュー画像生成部１６ａがこの付加情報から付加情報を示す画像のＲ′Ｇ′Ｂ′データを生成し、送信解像度に応じた画像拡大処理／画像縮小処理後のＲ′Ｇ′Ｂ′データに対し上記付加位置に合成すればよい。そして、付加後のＲ′Ｇ′Ｂ′データの画素数をタッチパネル３２の画素数（表示解像度）に変換する処理を行うと共に、プレビュー表示倍率に基づいて画像拡大処理や画像縮小処理を行う。
【０１２６】
このようにして付加情報の画像が合成された画像データは、上述したプレビュー表示時の出力階調補正処理（画像データを表示するための出力γ補正処理）が施された後に、パネル制御部１１によりＧＵＩ画像に組み込まれてタッチパネル３２に表示されることになる。ユーザは、この付加情報の画像を含むプレビュー表示された画像を確認して、このままファクシミリ送信を実行するか中止するか、或いは付加情報を削除するか、付加位置の変更（または付加情報の変更）などを実行するかなどを判断して、それに応じた操作を行うことができる。
【０１２７】
＜インターネット経由による画像データの送信動作＞
次に、読み取った原稿の画像データを、インターネット経由による電子メールまたはインターネットＦＡＸで送信する場合の送信動作について説明する。このようなインターネット経由での送信で対象となる画像データについても、タッチパネル３２またはキー操作部３１でのユーザ操作により設定されて制御用メモリ１９に格納された送信先情報（この例では電子メールアドレス）に対して送信される。
【０１２８】
インターネット経由による送信に係るユーザ操作が操作パネル３０で受け付けられたとき、メイン制御部１８は、フォーマット変換部１４、画像記憶部１５、画像処理部１６、符号化／復号部１７、及びＬＡＮ制御部２１などに指示を行い、次に説明するようなインターネット経由による送信処理を実行させる。なお、メイン制御部１８は、例えば原稿をインターネット経由で送信する操作がなされたときには読取部１３への指示（原稿読み取り指示）も行うことになる。
【０１２９】
符号化／復号部１７は、印刷対象の画像データとそれに対応する原稿判定データ及び領域分離データとを画像記憶部１５から読み出して復号し、画像処理部１６に渡す。画像処理部１６は、復号後の画像データ（ＲＧＢ画像データ）に対して各種画像処理（以下、インターネット送信用画像処理という）を実行する。インターネット送信用画像処理としては、ファクシミリ送信用画像処理において説明した、画質調整処理、空間フィルタ処理、変倍処理、出力階調補正処理、及び中間調生成処理などが挙げられる。
【０１３０】
また、カラー画像での送信の際の画像処理もファクシミリ送信用画像処理と同様であり、画像処理部１６がインターネット送信用画像処理において、画質調整処理として、復号後の画像データを、マトリクス係数を用いてカラー伝送用のＬ＊ａ＊ｂ＊データに変換する処理を行い、その後の処理をこのＬ＊ａ＊ｂ＊データについて行うなどすればよい。
【０１３１】
符号化／復号部１７は、インターネット送信用画像処理後の画像データを符号化（圧縮）して、圧縮ファイルを得る。この圧縮は、原稿１ページ単位で行われる。次いで、フォーマット変換部１４が、これらの圧縮ファイルを１つのファイルに変換し、このファイルを、例えばＭＩＭＥ（Multipurpose Internet Mail Extension）に従ってマルチパートメールに添付する。ここまでの処理により、読み取られた画像データは電子メールのフォーマットに変換される。この電子メールは、ＬＡＮ制御部２１によりＬＡＮインターフェースを介してＳＭＴＰ（Simple Mail Transfer Protocol）等のメール転送プロトコルを用いて、インターネット経由で送信先に送信される。
【０１３２】
ここで、インターネットファクシミリ送信の場合、符号化／復号部１７が例えばＭＨのようなファクシミリ専用の圧縮形式で圧縮し、フォーマット変換部１４が得られたページ単位の圧縮ファイルを例えば１つのＴＩＦＦファイルに変換すればよい。また、電子メールに添付ファイルとして添付するだけの送信の場合（所謂scan to e-mailによる送信の場合）、符号化／復号部１７が例えばＪＰＥＧのような圧縮形式で圧縮し、フォーマット変換部１４が得られたページ単位の圧縮ファイルを例えば１つのＰＤＦファイルに変換すればよい。
【０１３３】
また、デジタル複合機１は、送信対象の画像データがインターネット経由で送信する画像データであっても、ファクシミリ送信画像データの場合と同様に、付加情報を付加して送信することが可能となっている。付加情報の付加処理としては、ファクシミリ送信時について説明した合成処理を実行すればよく、上述した出力階調補正処理、圧縮処理、フォーマット変換処理などが施された後に、電子メールとして送信先のアドレスに送信されることになる。
【０１３４】
＜インターネット経由で送信する画像データのプレビュー表示動作＞
ファクシミリ送信時のプレビュー表示について説明したのと同様に、デジタル複合機１は、インターネット経由で送信する対象となった画像データも、タッチパネル３２でプレビュー表示可能に構成することができる。
【０１３５】
このプレビュー表示動作では、ファクシミリ送信時のプレビュー表示について説明したのと同様に、画像処理部１６が、画質調整処理、及び空間フィルタ処理（及び変倍処理）まではインターネット送信用画像処理と同じ処理を行い、プレビュー画像生成部１６ａによるプレビュー画像生成処理を実行し、出力階調補正処理として画像データを表示するための出力γ補正処理を行うとよい。プレビュー画像生成部１６ａで生成され出力階調補正処理されたＲ′Ｇ′Ｂ′データは、タッチパネル３２に渡され、パネル制御部１１によりＧＵＩ画像に組み込まれて、タッチパネル３２に表示されることになる。また、付加情報を示す画像を付加したプレビュー表示についても、ファクシミリ送信時のプレビュー表示についての説明が援用できる。
【０１３６】
＜本発明に係るプレビュー表示の説明＞
デジタル複合機１は、上記のように、読み取った原稿画像の印刷動作の実行時、ドキュメントファイリングによるファイリング実行時、ファクシミリによる画像データの送受信時、及びインターネットによる画像データの送受信時に、適宜プレビュー画像を生成するプレビュー画像生成部１６ａを有している。
プレビュー画像生成部１６ａで生成されたプレビュー画像は、メイン制御部１８の制御によりタッチパネル３２に送られ、パネル制御部１１によりＧＵＩ画像に組み込んで表示する制御がなされ、タッチパネル３２の表示部に表示される。ここではタッチパネル３２は、画像形成対象の画像データをプレビュー表示する表示部の一例である。
【０１３７】
さらに、上述したように本発明のデジタル複合機１では、メイン制御部１８の制御に基づきパネル制御部１１が、プレビュー表示された画像データに対して、仕上がり状態を示す情報をタッチパネル３２に表示させる制御を行うことができる。一例として、画像データのプレビュー画像は、頁毎の縮小画像により表示し、その画像データとは別に、仕上がり状態を示す情報を同一画面上に表示させる。また、上記のように画像データに対して仕上がり状態を示す情報を重ねて表示させるものであってもよい。
プレビュー画像生成部１６ａは、この仕上がり状態を示す情報と画像形成対象の画像データとからプレビュー画像を生成する。プレビュー画像生成部１６ａ及びパネル制御部１１は、プレビュー表示時に仕上がり状態を示す情報を表示させる制御を行う表示制御部の一例である。
【０１３８】
ここで、仕上がり状態を示す情報としては、例えば、画像形成を行う用紙に施すステープルやパンチ穴に関する情報や中綴じに関する情報、あるいは、両面印刷に関する情報、画像形成する用紙に対して異なる種類の用紙を所定の位置に挿入していく合い紙に関する情報、このときにＯＨＰ用紙の間に異なる種類の用紙（あて紙）を挿入していくＯＨＰ合い紙に関する情報、画像形成する用紙に対して異なる種類の用紙を先頭の頁位置に挿入する表表紙に関する情報、同じく異なる種類の用紙を最後の頁位置に挿入する裏表紙に関する情報などがある。
【０１３９】
この場合、ユーザは、画像データの頁毎の縮小画像と、仕上がり状態を示す情報とが表示されたプレビュー画像を確認し、このまま画像形成を実行するか中止するか、或いは仕上がり設定の変更などを実行するかなどを判断し、それに応じた操作を行うことができる。
【０１４０】
このようにデジタル複合機１は、コピーやドキュメントファイリング、あるいは画像データの送信等の対象となる画像データを使用してプレビュー画像を生成するが、本発明に係る実施形態では、このときプレビュー画像生成部１６ａは、プレビュー画像を生成すべき画像データが得られた段階でプレビュー画像の生成を開始し、その生成状態をメッセージ等により表示させるようにしている。
例えば、複数枚（複数頁）の画像データのプレビュー画像を生成するときに、プレビュー画像生成部１６ａは、１枚目の画像データが得られた段階でプレビュー画像の生成を開始し、生成したプレビュー画像が１枚生成される毎に、その１枚のプレビュー画像が生成されたことを示す表示をタッチパネル３２の表示部に表示させる。ここでは中綴じ印刷などの全ての画像データを取得しないとプレビュー画像が生成できない場合には、画像データが得られた段階でプレビュー画像の生成を開始することもある。
このような動作により、ユーザはプレビュー画像の生成状態を認識することができる。
【０１４１】
また、複数の画像データのプレビュー画像が生成されている途中の段階でも、生成済みのプレビュー画像については、適宜ユーザ操作を行うことによりプレビュー表示させることができ、この時点で、コピーやデータファイリング、データ送信などの最終処理を実行させるようにすることもできる。
以下に本実施形態の特徴であるプレビュー表示をさらに具体的に説明していく。
【０１４２】
＜プレビュー表示の具体例＞
以下、画像データのプレビュー表示の流れについて、その具体例を挙げながら説明する。以下の画面表示例は、本発明の一実施形態である上記のデジタル複合機１におけるタッチパネル３２の表示例を示している。
【０１４３】
図７は、デジタル複合機の標準画面の例を示す図である。標準画面４０は、デジタル複合機１の電源がＯＮになったときやリセットされたときに、デジタル複合機１のタッチパネル３２に表示されるものである。この標準画面４０では、初期状態として上部のコピーキー４１が選択されていて、コピーを行うための各種の条件設定が可能となっている。
また、この標準画面４０では、コピー以外に、イメージ送信キー４２あるいはドキュメントファイリングキー４３を選択することにより、ＦＡＸなどのイメージ送信を行うためのイメージ送信モード、あるいはデータの保存や確認を行うためのドキュメントファイリングモードに移行することができる。
さらに、この標準画面４０では、両面コピーを設定するための両面コピーキー４４、パンチやステープルなどの後処理の設定を行うための仕上げキー４５、あるいは画像データのプレビュー表示を指示するためのプレビュー確認キー４６などを備えている。
【０１４４】
例えば、図７の標準画面において両面コピーキー４４を操作(タッチ)すると、図８に示すような両面コピーの設定画面５０を開くことができる。ここでユーザは、片面原稿からの自動片面コピーを設定するための「片面→片面」キー５１、片面原稿からの自動両面コピーを設定するための「片面→両面」キー５２、両面原稿からの自動両面コピーを設定するための「両面→両面」キー５３、両面原稿からの片面コピーを設定するための「両面→片面」キー５４などを操作することで、所望の両面コピーの設定を行うことができる。
【０１４５】
また、図９は、図７の標準画面４０において仕上げキー４５を操作(タッチ)したときに表示される仕上げの初期画面であるの一例を示す図である。
図９の仕上げの初期画面６０において、ユーザは、コピーをソートして出力するためのソートキー６１、ソートしたコピー出力にステープルを施す設定を行うためのステープルソートキー６２、同一のコピー毎に出力を指示するためのグループキー６３、両開きのコピー出力の真ん中にステープルを施した上で中とじを指示するための中とじステープルキー６４、パンチ穴をあけるための設定を行うパンチキー６５、及び紙折りを設定するための紙折りキー６６などを操作することにより、コピー出力に関して所望の仕上げを行うことが可能となっている。
【０１４６】
図９の仕上げの初期画面６０において、例えばステープルソートキー６２を選択することによって、図１０に示すステープル設定画面６０´が表示される。
図１０のステープル設定画面６０´では、ステープルソートキー６２が選択されていることをユーザに確認できるように、ステープルソートキー６２自体が反転表示される。そして、コピー原稿の読み込み方向が左側から読み込まれるとした場合に、コピー出力の左上に１か所ステープルを施すための指示を行うキー６２Ａ、コピー出力の左側に２か所ステープルを施すための指示を行うキー６２Ｂ、及びコピー出力の左下に１か所ステープルを施すための指示を行うキー６２Ｃが表示され、ユーザが任意にそれぞれのキー６２Ａ，６２Ｂ，６２Ｃを選択できるようになっている。
【０１４７】
コピー出力の仕上げ状態を設定したユーザは、タッチパネル３２を使用し、図７の標準画面４０に表示されたプレビュー確認キー４６を操作することによって、画像データのプレビューを表示させることができる。
このときにプレビュー表示される画像データは、読取部１３によって読み取られ、画像記憶部１５に記憶された原稿画像の画像データである。また、この他、ファクシミリやインターネットＦＡＸ等により外部機器から受信し、画像記憶部１５に記憶した画像データをプレビューの対象とすることもできる。あるいはメモリ等の記録媒体から入力されたものであってもよい。そしてこれらの画像データを記録部１２で画像形成したり、ＨＤＤ等の画像記憶部１５にファイリングしたり、あるいはファクシミリやインターネットＦＡＸ、もしくはインターネットメール等によって外部機器に送信するときに、その対象となっている画像データのプレビュー表示を行わせることができる。
【０１４８】
この場合、コピーモードにおいては、原稿画像を読み取って印刷する画像データのプレビュー表示を行うことができる。また、イメージ送信モードで画像データを送信する際、送信する画像データをプレビュー表示させて確認した上で、送信を実行させることが可能である。ここでは、ファクシミリやインターネットＦＡＸによるデータ送信、あるいは、読取部（スキャナ）で読み取った画像データをＥメール等で送信したり、ＵＳＢメモリ等に転送する処理を行う際に、画像データをプレビュー表示させて事前に確認することができる。また、ドキュメントファイリングモードでは、例えば、読取部（スキャナ）で読み取った画像データや、ファクシミリやインターネットＦＡＸ等で受信した画像データをＨＤＤなどの画像記憶部１５に記憶させ保存するときに、画像データをプレビュー表示させて、ユーザが確認した上で保存処理を実行させることができる。
【０１４９】
例えば、上記のコピーモードにおいて原稿をコピーしようとするときに、ユーザは、読取部１３に原稿をセットして、まずプレビュー確認キー４６を操作する。そしてその後、コピーを開始するスタートキー３１ｄ（図６）を押すことにより、原稿画像の読み取りが行われ、画像記憶部１５に一旦記憶された画像データがプレビュー表示される。あるいは、外部機器から受信した画像データを印刷させる操作をするときに、プレビュー確認キー４６を操作した後、スタートキー３１ｄを押すことにより、その画像データをプレビュー表示させることができる。
【０１５０】
このように、デジタル複合機１では、画像データのプレビュー表示が可能であるが、プレビュー画像は、入力した画像データの最終処理を実行する前に表示が可能である。最終処理は、画像データを記録用紙等の被画像形成媒体に画像形成（印刷）する画像形成処理や、画像データをファクシミリやインターネットを介して外部機器に送信する送信処理、あるいは、画像データをデジタル複合機が内蔵する画像記憶部１５に記録保存する処理に該当する。ここでは、画像記憶部１５の代わりにデジタル複合機１がアクセス可能な外部の記憶装置や記録媒体を用いてもよい。
本発明の処理手段は、これらの最終処理を実行する各部が該当する。例えば画像形成を行う場合には、メイン制御部１８、画像処理部１６、符号化／復号部１７、記録部１２などが協働して処理を実行し、イメージ送信を行う場合には、メイン制御部１８、画像処理部１６、符号化／復号部１７、ＬＡＮ制御部２１、ＮＣＵ２３，モデム２４などが協働して処理を実行し、これらが処理手段の実現要素に該当する。
【０１５１】
＜プレビュー画像生成中の表示例＞
ここで本発明に係る実施形態では、画像処理部１６のプレビュー画像生成部１６ａ（図５）は、上記のごとくの最終処理の対象となる画像データを使用して、プレビュー画像を生成するが、メイン制御部１８は、プレビュー画像生成部１６ａが生成したプレビュー画像が１枚（１頁）生成される毎に、その１枚のプレビュー画像が生成されたことを示す表示をタッチパネル１０の表示部に表示させる。そして、最終処理の対象となる画像データが複数枚（複数頁）あった場合には、１枚のプレビュー画像が生成されたことを示す表示を１枚の画像毎に実行させることができる。
【０１５２】
図１１〜図１３は、プレビュー画像生成中の表示例を示す図である。図１１の例では、コピーモードにおいて、ユーザがプレビュー確認キー４６を操作した後スタートキーを操作すると、プレビュー生成中を示す画像７０がポップアップ画像により表示される。
このとき、プレビュー画像生成部１６ａでは、読取部１３による原稿画像の読み取りに応じて、コピーすべき（つまり最終処理の対象となっている）画像データのプレビュー画像の生成を開始する。そして、その際に、プレビュー生成中を示す画像７０には、例えば、“プレビューを作成中です。しばらくお待ち下さい”とのメッセージの表示と、“作成中”であることを示す表示が行われる。これにより、ユーザは、現在プレビュー画像が生成されている状態であることを確実に認識することができる。
【０１５３】
プレビュー画像生成部１６ａでは、読取部１３で原稿画像が読み取られ、その画像データが出力された段階で、プレビュー画像の生成を開始する。つまり原稿画像の画像データは、読取部１３で１枚（頁）分ずつ生成されて出力されるため、プレビュー画像生成部１６ａでは、１枚の画像データが得られた段階でプレビュー画像の生成を開始する。そして複数枚の画像データがある場合には、原稿画像の読み取りが順次完了した段階で、プレビュー画像の生成を継続する。
【０１５４】
このように、プレビュー画像生成部１６ａでは、最終処理対象の画像データが得られた段階で、順次プレビュー画像の生成処理を実行する。また、ファクシミリやインターネットを介して送信された画像データが入力された場合には、１枚分の画像データが入力された段階で、プレビュー画像の生成処理を実行する。またこの場合、上述の中綴じ印刷のように、１枚分の画像データの入力時にただちにプレビュー画像の生成を開始できない例外は除くものとする。
【０１５５】
画像データの入力は、上記のように読取部１３による原稿画像の読み取りにより行われるか、またはファクシミリやインターネットにより送信されるか、あるいはメモリ等の記録媒体から転送されることにより実行される。これらの画像データの入力経路のインターフェース部が、本発明の入力部に該当し、各入力部から最終処理の対象となる画像データの入力が可能となっている。つまり本発明の一実施形態では、プレビュー画像生成部１６ａでは、入力部に画像データが入力した段階で、プレビュー画像の生成を開始する。また、このときに、読取部１３で読み取った画像データを使用する場合には、読取部１３で読み取って出力された画像データを、入力部に入力した画像データとしてプレビュー画像の生成を開始する。
【０１５６】
プレビュー画像生成部１６ａがプレビュー画像の生成を開始すると、１枚のプレビュー画像が生成された段階で、１枚分のプレビュー画像が生成されたことを示す表示を行う。
図１２に示すように、プレビュー画像生成部１６ａが１枚目の画像データのプレビュー画像の生成を完了すると、プレビュー生成中を示す画像７０に設定された処理量表示部７１に、処理済みの画像データが“１”であることが表示される。処理量表示部７１は、プレビュー画像の生成が終了した画像データをその枚数（頁）毎に表示するようになっている。
また、“？？？”は、画像データの総数が表示されるべきものであるが、この段階では原稿画像の読み取り処理が継続中であり、最終処理すべき画像データの総数が何枚あるか判別できないため、“？？？”と表示されている。
【０１５７】
図１３は、さらにプレビュー画像の生成処理が進行したときの表示例を示している。ここでは、処理量表示部７１には、プレビュー画像の生成が１２枚目まで完了していることが示されている。またこの時点では、原稿画像の読み取りが全て終了し、最終処理すべき画像データの総量が１２５枚であることが表示されている。
つまり、プレビュー画像が生成されたことを示す処理量表示部７１は、複数枚の画像データがあるときに、１枚の画像データのプレビュー画像が生成される毎に処理量の表示を行う。そして、その表示を、１枚のプレビュー画像毎に更新する。また、入力部に対して最終処理対象の画像データが全て入力すると、その画像データの総枚数（頁数）を表示させることができる。
【０１５８】
図１２及び図１３において、プレビュー生成中を示す画像７０に表示されている途中表示ボタン７２は、全ての対象画像データのプレビュー画像の生成処理が完了していない段階で、プレビュー画像を表示させる指示入力を可能とするものである。例えば図１２の画面でユーザにより途中表示ボタン７２が操作された場合には、そのときの生成済みのプレビュー画像の１枚目をプレビュー表示させることができる。
また、キャンセルボタン７３は、プレビュー画像の生成処理をキャンセルする指示入力を可能とするものである。ユーザによりキャンセルボタン７３が操作された場合には、すでに生成されているプレビュー画像については、適宜表示させることが可能である。また、キャンセルボタン７３の操作後に、イメージ送信モードによる画像データの送信処理や、コピーモードによる印刷（画像形成）処理を実行させることが可能である。
【０１５９】
図１４は、上記図１２の画面において、途中表示ボタン７２が操作されたときのプレビュー画面の一例を示す図である。例えば、図１２の画面で途中表示ボタン７２が操作されると、図１４に示すようなプレビュー画面８０が表示される。ここでは画像データのプレビュー画像８１が表示されるが、このときのプレビュー画像８１は、図１２の画面の時点で生成処理が完了している１枚目のプレビュー画像である。
【０１６０】
図１３の画面で、途中表示ボタン７２が操作された場合には、１２枚目までのプレビュー画像表示が可能である。また、プレビュー画像の表示中であっても、のこりのプレビュー画像の生成が継続されていることから、生成が完了した他のプレビュー画像も随時表示させることができる。つまり、プレビュー画像生成部１６ａでは、タッチパネル３２の表示部に対して、プレビュー画像が生成されていることを示す表示が行われているときにも、さらにプレビュー画像を生成すべき画像データがあるときには、プレビュー画像の生成処理を続行している。
【０１６１】
図１４に示すプレビュー画面８０に表示されるプレビュー画像８１は、このように頁毎（画像の１枚毎）に表示され、ユーザは、頁切換キー８２を適宜操作することによって、任意の頁のプレビュー画像を表示させることができる。しかしながら、この場合には、プレビュー画像の生成が完了しているのは１枚目の画像データのみであるため、頁切換キー８２によるプレビュー画像の切換はできない。ここでは、現在表示されている画像データの頁は、頁表示８３によって総数１２５枚のうちの１枚目（１頁目）であることが確認できる。
【０１６２】
また、図１４に示すプレビュー画面８０には、設定確認キー８４、拡大／縮小キー８５、表示の回転キー８６などが表示されていて、ユーザはこれらを適宜操作することによって、プレビュー画像８１の設定を確認したり、プレビュー画像８１を拡大もしくは縮小、あるいは回転させて確認することができる。例えば図１５に示すプレビュー画面８０は、図１４のプレビュー画面８０において、拡大／縮小キー８５によってプレビュー画像８１を拡大する操作が行われたときの表示例を示している。
【０１６３】
また、プレビュー画像８１を確認することで印刷条件を再設定する必要が生じた場合など、ユーザは再設定キー８７を操作することにより、印刷条件を再設定するための画面を開くことができる。そして再設定画面を使用して印刷条件を再設定し、再設定した印刷条件に基づくプレビュー画像８１を表示させることができる。
そして図１４及び図１５に示すプレビュー画面８０には、コピー開始キー８８が表示されていて、ユーザがこのコピー開始キー８８を操作することによって、プレビュー表示された画像データを画像形成（印刷）させることができる。
【０１６４】
上記のような処理を行うことにより、例えばコピー時には、表紙ページのタイトルやマル秘などのスタンプ情報、または最初の数ページだけを表示させるだけで、ユーザによる事前の確認が済む場合もある。また、イメージ送信の際には、１ページ目に記載されている送信先情報等を、プレビューによりユーザが確認するだけで済む場合も多くある。
このような場合にも、できるだけ早くプレビュー画像の表示を可能とすることにより、無駄な原稿読取の継続や、プレビュー画像の生成を行うことを回避することができる。
また、逆に、１頁または最初の数頁のプレビューによりユーザの確認が完了した場合には、その時点でコピー指示や保存指示、あるいはイメージ送信指示が可能であり、作業時間の短縮が実現できる。つまり、プレビュー画像を表示した後は、最終処理の実行が可能である。
【０１６５】
図１６は、プレビュー画像を表示するプレビュー画面の他の例を示す図で、中綴じ印刷を設定しているときに表示されるプレビュー画面の表示例を示すものである。
上記図１２〜図１３の例では、プレビュー画像生成部１６ａは、読取部１３によって原稿画像が読み取られると、ただちにプレビュー画像を生成するようにしていた。しかしながら、仕上げ状態として例えば「中綴じ印刷」が設定されている場合、対象となる全ての原稿画像を読み取った後でなければ、１枚毎（頁毎）のプレビュー画像を生成することができない。全ての画像データの取得が完了した後でなければ、１枚分のプレビュー画像８１に含まれる２つの画像データを決定することができないためである。
【０１６６】
このように仕上げの状態によっては、原稿画像を読み取って画像データが得られても、ただちにプレビュー画像を生成できない場合もある。このような場合には、プレビュー画像生成部１６ａによるプレビュー画像の生成処理は、対象となる原稿画像を全て読み取った後になる。
【０１６７】
図１７は、本発明に係る画像処理の一例を説明するためのフローチャートである。ここでは、上記デジタル複合機１の読取部１３によって原稿画像を読み取って、プレビュー表示させるときの処理例について説明する。
まずデジタル複合機１では、ユーザによる所定の操作入力に応じて原稿の読取を開始する（ステップＳ１）。ここでは、例えば、コピーモードの標準画面４０においてプレビュー確認キー４６が操作され、その後スタートキー３１ｄが押されたものとする。そして、読取部１３には、原稿画像を読み取らせるための複数の原稿が置かれているものとする。
【０１６８】
読取部１３によって原稿画像が読み取られると、プレビュー画像生成部１６ａでは、読み取った原稿画像の画像データから、プレビュー画像を生成し（ステップＳ２）、その生成状態に応じてメッセージをタッチパネル１０の表示部に表示させる（ステップＳ３）。メッセージとしては、上記図１１のプレビュー生成中を示す画像７０に表示される“プレビューを作成中です。しばらくお待ち下さい”などが用いられる。またその画像７０には、プレビュー画像の生成が完了した枚数（頁数）と、読み取った画像データの総枚数（総頁数）とが表示される。
【０１６９】
そしてプレビュー画像の生成が完了すると（ステップＳ４−Ｙｅｓ）、利用者による操作があるかどうかを判断する（ステップＳ５）。ここでは、上記図１２及び図１３に示す画面において、途中表示ボタン７２またはキャンセルボタン７３のいずれかが操作されたか否かを判別するものとする。
ここで利用者による操作がなければ、さらに原稿画像の読み取りが終了しているか否かを判別する（ステップＳ６）。原稿画像の読み取りが終了していなければ、ステップＳ１に戻って原稿画像の読み取りを続行し、また、原稿画像の読み取りが終了していれば、処理を終了する。
【０１７０】
ステップＳ５で、利用者による操作があった場合、その操作の種類を判別し（ステップＳ７）、途中表示ボタン７２の操作であれば、その時点で生成されているプレビュー画像の表示を行う（ステップＳ８）。そしてプレビュー表示が終了されれば（ステップＳ９−Ｙｅｓ）、処理を終了する。また、ステップＳ７でキャンセルボタン７３であれば、プレビュー画像の生成処理をキャンセルして処理を終了する。
プレビュー表示の終了後やキャンセル処理後においても、上述のようにコピーモードによるコピーの開始や、イメージ送信モードによる画像データの送信処理、ドキュメントファイリングモードによる画像データの保存処理等の実行が可能である。
【図面の簡単な説明】
【０１７１】
【図１】本発明の画像処理装置を適用可能な装置の一例を示す図で、インナーフィニッシャーを有するデジタル複合機の構成を示す図である。
【図２】デジタル複合機の後処理装置の一例を示す図である。
【図３】デジタル複合機の後処理装置の他の例を示す図である。
【図４】本発明の一実施形態に係る画像処理装置の一例としてのデジタル複合機を用いて構築される画像処理システムの構成例を示す模式図である。
【図５】図４のデジタル複合機の構成例を示す概略ブロック図である。
【図６】図５のデジタル複合機におけるタッチパネル及びキー操作部の一例を示す外観図である。
【図７】デジタル複合機の標準画面の例を示す図である。
【図８】標準画面において両面コピーキーを操作したときの両面コピーの設定画面の一例を示す図である。
【図９】図７の標準画面において仕上げキーを操作したときに表示される仕上げの初期画面であるの一例を示す図である。
【図１０】図９の仕上げの初期画面において、ステープルソートキーが選択されたときのステープル設定画面の一例を示す図である。
【図１１】プレビュー画像生成中の表示例を示す図である。
【図１２】プレビュー画像生成中の他の表示例を示す図である。
【図１３】プレビュー画像生成中の更に他の表示例を示す図である。
【図１４】図１２の画面において、途中表示ボタンが操作されたときのプレビュー画面の一例を示す図である
【図１５】図１４のプレビュー画面において、拡大／縮小キーによってプレビュー画像を拡大する操作が行われたときの表示例を示す図である。
【図１６】プレビュー画像を表示するプレビュー画面の他の例を示す図で、中綴じ印刷を設定しているときに表示されるプレビュー画面の表示例を示すものである。
【図１７】本発明に係る画像処理の一例を説明するためのフローチャートである。
【符号の説明】
【０１７２】
１…デジタル複合機、２，３…外部コンピュータ、４…インターネットＦＡＸ装置、５…ファクシミリ装置、７…用紙収容部、１０…タッチパネル、１１…パネル制御部、１２…記録部、１３…読取部、１４…フォーマット変換部、１５…画像記憶部、１６…画像処理部、１６ａ…プレビュー画像生成部、１７…復号部、１８…メイン制御部、１９…制御用メモリ、２０…キー操作部、２１…ＬＡＮ制御部、２２…制御用バッファ、２３…ＮＣＵ、２４…モデム、３０…操作パネル、３１…キー操作部、３１ａ…テンキー、３１ｂ…クリアキー、３１ｃ…全解除キー、３１ｄ…スタートキー、３１ｄ…後スタートキー、３１ｅ，３１ｆ，３１ｇ…機能切替キー、３１ｈ…システム設定キー、３２…タッチパネル、４０…標準画面、４１…コピーキー、４２…イメージ送信キー、４３…ドキュメントファイリングキー、４４…両面コピーキー、４５…仕上げキー、４６…プレビュー確認キー、５１…片面→片面キー、５２…片面→両面キー、５３…両面→両面キー、５４…両面→片面キー、６１…ソートキー、６２…ステープルソートキー、６３…グループキー、６４…ステープルキー、６５…パンチキー、６６…紙折りキー、７０…プレビュー生成中を示す画像、７１…処理量表示部、７２…途中表示ボタン、７３…キャンセルボタン、８０…プレビュー画面、８１…プレビュー画像、８２…頁切換キー、８３…頁表示、８４…設定確認キー、８５…縮小キー、８６…回転キー、８７…再設定キー、８８…コピー開始キー、１０１Ａ，１０１Ｂ，１０１Ｃ，１０１Ｄ…感光体ドラム、１０２Ａ，１０２Ｂ，１０２Ｃ，１０２Ｄ…現像ユニット、１０３…帯電ローラ、１０４…一次転写ローラ、１０５…クリーニングユニット、１０６…画像形成部、１０７…用紙収容部、１０８…用紙搬送部、１１０…露光ユニット、１１１…中間転写ベルト、１１２Ａ，１１２Ｂ，１１２Ｃ，１１２Ｄ…画像形成ステーション、１１３…クリーニングユニット、１１３Ａ…加熱ローラ、１１３Ｂ…加圧ローラ、１１４…二次転写ローラ、１１６Ａ，１１６Ｂ，１１６Ｃ，１１６Ｄ…給紙カセット、１１７…手差しトレイ、１２１Ａ，１２１Ｂ…ピックアップローラ、１２２Ａ，１２２Ｂ…給紙ローラ、１２５…総数、１３０…画像形成位置、１３１…用紙搬送路、１３２…レジストローラ、１３３…定着ユニット、１３４…排紙ローラ、１３５〜１３８…用紙搬送路、１６１，１６２，１６３…搬送ローラ、１７１…入口ローラ、１７２…ステープラ、１７３…整合処理部、１７４…排紙ローラ、１７５…排紙トレイ、１７６…用紙後端検知センサ、１７８…パンチピン、２００…原稿搬送読取り部、２１１…原稿セットトレイ、２１２…原稿検知センサ、２１３…ピックアップローラ、２１４…サバキ板、２１５…搬送ローラ、２１６…プラテンガラス、２１７…原稿排出トレイ、２２１…第１読取り部、２２２…第２読取り部、２２３…第１走査ユニット、２２４…第２走査ユニット、２２６…結像レンズ、２２７…ＣＣＤ、３００…後処理装置、３０１…後処理装置、３１１…入口ローラ、３１２…排紙ローラ、３１３…排紙ローラ、３１４…ステープルトレイ排出ローラ、３１５…コロ、３２１，３２２…分岐爪、３３１…ノンステープル搬送経路、３３２…トレイ搬送経路、３３３…ステープル搬送経路、３４１…排紙トレイ、３４２…割り込みトレイ、３５１…排紙ガイド板、３６１…ステープルトレイ、３６２…用紙後端基準フェンス、３６３…ステープラ、４００，５００…給紙装置。
【図１】
2010062710.tif 000003
【図２】
2010062710.tif 000004
【図３】
2010062710.tif 000005
【図４】
2010062710.tif 000006
【図５】
2010062710.tif 000007
【図６】
2010062710.tif 000008
【図７】
2010062710.tif 000009
【図８】
2010062710.tif 000010
【図９】
2010062710.tif 000011
【図１０】
2010062710.tif 000012
【図１１】
2010062710.tif 000013
【図１２】
2010062710.tif 000014
【図１３】
2010062710.tif 000015
【図１４】
2010062710.tif 000016
【図１５】
2010062710.tif 000017
【図１６】
2010062710.tif 000018
【図１７】
2010062710.tif 000019